(57)【要約】  ＭＢＳＦＮの品質の要求条件を満たしつつ、ＭＢＳＦＮエリアのＰＴＰシステムスループットの観点からの最適設定を可能たらしめる無線通信システム、装置、方法の提供。ＭＢＳＦＮの品質の要求条件を満たしつつ、ＭＢＳＦＮエリアのユニキャスト・トラッフィック量、端末数、ＭＢＳＦＮエリアを構成するセル数などを基に、ＭＢＳＦＮエリアのシステムスループットを最大化するようにＭＢＳＦＮのＭＣＳおよびサブフレーム数、Ｒｅｓｅｒｖｅｄセルの送信電力などの送信パラメータを適応的に出力する（図２）。
2010001928.tif 000002
【特許請求の範囲】
【請求項１】
複数の無線局の全て又は１部からの通信状況情報を受け、複数の無線局によるマルチキャストにおける通信制御情報を出力する、ことを特徴とする無線通信システム。
【請求項２】
複数の無線局が同期して同じ周波数で同じコンテンツを同時送信するＭＢＳＦＮ（Ｍｕｌｔｉｍｅｄｉａ  Ｂｒｏａｄｃａｓｔ  Ｍｕｌｔｉｃａｓｔ  Ｓｅｒｖｉｃｅ  Ｓｉｎｇｌｅ  Ｆｒｅｑｕｅｎｃｙ  Ｎｅｔｗｏｒｋ）の対象範囲であるＭＢＳＦＮエリア内の複数の無線局から、前記通信状況情報を受け、ＭＢＳＦＮエリアの前記通信制御情報を出力する、ことを特徴とする請求項１に記載の無線通信システム。
【請求項３】
前記通信状況情報は、
システム構成要素と、
マルチキャスト関連情報と、
ユニキャスト関連情報
の少なくとも１つを含み、
前記通信制御情報は、
ＭＢＳＦＮエリアの送信パラメータと
ＭＢＳＦＮエリアのセルタイプ
の少なくとも１つを含む、請求項２に記載の無線通信システム。
【請求項４】
前記ＭＢＳＦＮエリア内に、
ＭＢＳＦＮとユニキャストの両方を行う無線局と、
ＭＢＳＦＮを行わない無線局と、
を備え、
ＭＢＳＦＮエリア内の
ＭＢＳＦＮを行う無線局によるＭＢＳＦＮのための前記通信制御情報と、
ＭＢＳＦＮが行われる時刻における、前記ＭＢＳＦＮを行わない無線局による通信のための前記通信制御情報を出力する、請求項２又は３に記載の無線通信システム。
【請求項５】
前記ＭＢＳＦＮエリア内に、
ＭＢＳＦＮとユニキャストの両方を行う無線局と、
ＭＢＳＦＮを行わない無線局と、
を備え、
ＭＢＳＦＮエリア内のＭＢＳＦＮのための前記通信制御情報を出力する、請求項２又は３に記載の無線通信システム。
【請求項６】
前記無線局が、ＭＢＳＦＮ（Ｍｕｌｔｉｍｅｄｉａ  Ｂｒｏａｄｃａｓｔ  Ｍｕｌｔｉｃａｓｔ  Ｓｅｒｖｉｃｅ  Ｓｉｎｇｌｅ  Ｆｒｅｑｕｅｎｃｙ  Ｎｅｔｗｏｒｋ）機能と、ユニキャストの機能と、を備え、
ＭＢＳＦＮの対象範囲であるＭＢＳＦＮエリア内のシステム構成要素を基に、ＭＢＳＦＮエリアの通信制御情報を出力する、請求項１乃至５のいずれか１項に記載の無線通信システム。
【請求項７】
前記システム構成要素に加え、ＭＢＳＦＮエリアが同一である複数の無線局の全て又は一部からマルチキャスト関連情報とユニキャスト関連情報の少なくとも一方を収集し、
前記通信制御情報として、
前記ＭＢＳＦＮエリア内のＭＢＳＦＮの送信パラメータ、及び／又は、
前記ＭＢＳＦＮエリア内に存在するがＭＢＳＦＮを行わない無線局のＭＢＳＦＮと同時刻に行われる通信の送信パラメータ
を出力する、請求項６に記載の無線通信システム。
【請求項８】
前記システム構成要素として、
ＭＢＳＦＮを行う無線局の数、
ＭＢＳＦＮを行う無線局が管理するエリアの数、
ＭＢＳＦＮを行う無線局が管理するエリアの大きさ、
ＭＢＳＦＮを行わない無線局の数、
ＭＢＳＦＮを行わない無線局が管理するエリアの数、
ＭＢＳＦＮを行わない無線局が管理するエリアの大きさ、
のうち１つ以上を用いる、請求項６又は７に記載の無線通信システム。
【請求項９】
前記マルチキャスト関連情報として、
ＭＢＳＦＮを受信している端末数又は該端末数を推定できる情報、
ＭＢＳＦＮの受信を希望している端末数又は該端末数を推定できる情報、
実行中のＭＢＳＦＮの品質又は該品質を推定できる情報、
ＭＢＳＦＮを受信している端末数とユニキャストを受信している端末数の比、
のうち１つ以上を用いる、請求項５又は７に記載の無線通信システム。
【請求項１０】
前記ユニキャスト関連情報として、
ユニキャストのトラフィック量、
ユニキャストを受信している端末数、
ユニキャストを受信する可能性のあるアクティブ状態の端末数、
ＶｏＩＰ（Ｖｏｉｃｅ  ｏｖｅｒ  Ｉｎｔｅｒｎｅｔ  Ｐｒｏｔｏｃｏｌ）を行っている端末数、
のうち１つ以上を用いる、請求項５、７、９のいずれか１項に記載の無線通信システム。
【請求項１１】
ＭＢＳＦＮエリアの前記通信制御情報を構成する前記送信パラメータとして、
変調方式、
符号化率、
ＭＢＳＦＮに使用する無線リソースの割り当て、又は、割合、又は割り当て量、
送信電力又は送信電力の上限値、
既知系列からなるリファレンスシグナル（Ｒｅｆｅｒｅｎｃｅ  ｓｉｇｎａｌ）、
スクランブリングコード（Ｓｃｒａｍｂｌｉｎｇ  ｃｏｄｅ）、
のうちの少なくも１つを用いる、請求項２乃至１０のいずれか１項に記載の無線通信システム。
【請求項１２】
ａ１）ＭＢＳＦＮエリアのユニキャストのトラフィック量、
ａ２）ＭＢＳＦＮエリアを構成するセルの数、
ａ３）ＭＢＳＦＮエリアを構成する各セルの半径、
の少なくとも一つを前記無線局からの前記通信状況情報として受け、
ｂ）ＭＢＳＦＮの要求条件を満たしながら、
ｃ１）ＭＢＳＦＮエリアのユニキャストのシステムスループットを大きくする、
ｃ２）ＭＢＳＦＮカバレッジを一定に保つようにする、
ｃ３）ＭＢＳＦＮ伝送レートを一定に保つようにする、
ｃ４）ＭＢＳＦＮによるサービスレートを一定に保つようにする、
の上記ｃ１〜ｃ４の少なくとも一つを実現するように、
ｄ１）ＭＢＳＦＮのＭＣＳ（Ｍｏｄｕｌａｔｉｏｎ  ａｎｄ  Ｃｏｄｉｎｇ  Ｓｃｈｅｍｅ：変調符号化方式）、
ｄ２）ＭＢＳＦＮサブフレーム数、
ｄ３）ＭＢＳＦＮサブフレーム位置、
ｄ４）ＭＢＳＦＮフレーム位置、
ｄ５）ＭＢＳＦＮフレーム周期、
ｄ６）ＭＢＳＦＮを行わない無線局のＭＢＳＦＮと同時刻に行う通信の送信電力又は送信電力の上限値、
ｄ７）ＭＢＳＦＮを行わない無線局のＭＢＳＦＮと同時刻に行う通信の周波数利用率、
ｄ８）ＭＢＳＦＮを行わない無線局のＭＢＳＦＮと同時刻に行う通信の周波数帯域、
ｄ９）ＭＢＳＦＮのリファレンスシグナル、
ｄ１０）ＭＢＳＦＮのスクランブリングコード、
の上記ｄ１〜ｄ１０の少なくとも１つを、前記通信制御情報として、
ｅ１）周期的に、又は、
ｅ２）所定のトリガーに基づき、
出力する、請求項２乃至１１のいずれか１項に記載の無線通信システム。
【請求項１３】
ＭＢＳＦＮの要求条件を満たすように、前記通信制御情報を出力する、ことを特徴とする請求項２乃至１２のいずれか１項に記載の無線通信システム。
【請求項１４】
ＭＢＳＦＮの要求条件として、
予め定められた所定の指標のアウテージ（Ｏｕｔａｇｅ）、カバレッジ、伝送レート、のうち１つ以上を用いる、請求項１２又は１３に記載の無線通信システム。
【請求項１５】
ＭＢＳＦＮとユニキャストをＮサブフレーム（但し、Ｎは所定の正整数）から構成されるフレームを単位として時間領域で切り替え、
前記ＭＢＳＦＮに使用する無線リソースの割り当て量として、サブフレーム数を用いる、請求項２乃至１４のいずれか１項に記載の無線通信システム。
【請求項１６】
ＭＢＳＦＮとユニキャストをＮサブフレーム（但し、Ｎは所定の正整数）から構成されるフレームを単位として時間領域で切り替え、
前記ＭＢＳＦＮに使用する無線リソースの割り当てとして、
ＭＢＳＦＮを行うサブフレーム番号、
先頭サブフレーム番号と使用するサブフレーム数、
ＭＢＳＦＮを行うフレーム番号又は該フレーム番号を示す情報、
ＭＢＳＦＮを行うフレームの周期
の少なくとも１つを用いる、請求項２乃至１５のいずれか１項に記載の無線通信システム。
【請求項１７】
ＭＢＳＦＮとユニキャストを周波数領域で切り替え、
前記ＭＢＳＦＮに使用する無線リソースの割り当て量として、
連続又は不連続の周波数帯域の合計を用いる、請求項２乃至１６のいずれか１項に記載の無線通信システム。
【請求項１８】
ＭＢＳＦＮとユニキャストを周波数領域で切り替え、
前記ＭＢＳＦＮに使用する無線リソースの割り当てとして、
連続又は不連続の周波数帯域の位置を用いる、請求項２乃至１７のいずれか１項に記載の無線通信システム。
【請求項１９】
ＭＢＳＦＮと同時刻で行う前記ユニキャストの送信パラメータとして、
送信電力又は送信電力の上限値、
周波数利用率、
周波数帯域のうち少なくとも１つを用いる、請求項２乃至１８のいずれか１項に記載の無線通信システム。
【請求項２０】
ＭＢＳＦＮの要求条件を満たしつつ、ＭＢＳＦＮの対象範囲内におけるユニキャストのトータルシステム・スループットを大きくする、又は最大化するように、ＭＢＳＦＮエリアの送信パラメータを出力する、請求項２乃至１９のいずれか１項に記載の無線通信システム。
【請求項２１】
ＭＢＳＦＮエリア内のＭＢＳＦＮを行わない無線局は、ユニキャストとマルチキャストの少なくとも一方を行う、請求項３、４、７、８、１２のいずれか１項に記載の無線通信システム。
【請求項２２】
１又は複数の他の基地局装置と同期して、同じ周波数で同じコンテンツを同時送信するＭＢＳＦＮ（Ｍｕｌｔｉｍｅｄｉａ  Ｂｒｏａｄｃａｓｔ  Ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）の機能と、
ユニキャストの機能と、
を備える基地局装置であって、
マルチセル／マルチキャスト協調制御装置（ＭＣＥ：Ｍｕｌｔｉ−ｃｅｌｌ／Ｍｕｌｔｉｃａｓｔ  Ｃｏｏｒｄｉｎａｔｉｏｎ  Ｅｎｔｉｔｙ）へ通信状況情報を通知し、
前記マルチセル／マルチキャスト協調制御装置から通信制御情報を受信し、ＭＢＳＦＮあるいはユニキャスト又はシングルセル・マルチキャストを行う、ことを特徴とする基地局装置。
【請求項２３】
１又は複数の他の基地局装置と同期して、同じ周波数で同じコンテンツを、複数の端末へ同時送信するＭＢＳＦＮ（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）の機能と、
ユニキャストの機能と、
を備える基地局装置であって、
ＭＢＳＦＮの対象範囲であるＭＢＳＦＮエリア内での
ＭＢＳＦＮを受信している端末数又は該端末数を推定できる情報、
ＭＢＳＦＮの受信を希望している端末数又は該端末数を推定できる情報、
ユニキャストのトラフィック量、
ユニキャストを受信している端末数、
ユニキャストを受信する可能性のあるアクティブ状態の端末数、
ＭＢＳＦＮを受信している端末数とユニキャストを受信している端末数の比、
ＶｏＩＰ（Ｖｏｉｃｅ  ｏｖｅｒ  Ｉｎｔｅｒｎｅｔ  Ｐｒｏｔｏｃｏｌ）を行っている端末数、
実行中のＭＢＳＦＮの品質又は該品質を推定できる情報、
の少なくとも１つを測定し、
周期的に、又は、予め指定したイベント発生時に、
ＭＢＳＦＮエリアの送信パラメータを出力するマルチセル／マルチキャスト協調制御装置（ＭＣＥ：Ｍｕｌｔｉ−ｃｅｌｌ／Ｍｕｌｔｉｃａｓｔ  Ｃｏｏｒｄｉｎａｔｉｏｎ  Ｅｎｔｉｔｙ）へ通知し、
前記マルチセル／マルチキャスト協調制御装置から受信した、
ＭＢＳＦＮ、及び、ＭＢＳＦＮと同時刻に行う通信の少なくとも一方の送信パラメータを基に、通信を行う、ことを特徴とする基地局装置。
【請求項２４】
複数の基地局装置が同期して、同じ周波数で同じコンテンツを同時送信するＭＢＳＦＮ（Ｍｕｌｔｉｍｅｄｉａ  Ｂｒｏａｄｃａｓｔ  Ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）の通信制御情報を出力するマルチセル／マルチキャスト協調制御装置（ＭＣＥ：Ｍｕｌｔｉ−ｃｅｌｌ／Ｍｕｌｔｉｃａｓｔ  Ｃｏｏｒｄｉｎａｔｉｏｎ  Ｅｎｔｉｔｙ）であって、
ＭＢＳＦＮの対象範囲であるＭＢＳＦＮエリア内での、通信状況情報を基地局装置から受信し、前記通信制御情報を前記基地局装置へ通知する、ことを特徴とするマルチセル／マルチキャスト協調制御装置。
【請求項２５】
ＭＢＳＦＮの対象範囲であるＭＢＳＦＮエリア内での、
ＭＢＳＦＮを受信している端末数又は該端末数を推定できる情報、
ＭＢＳＦＮの受信を希望している端末数又は該端末数を推定できる情報、
ユニキャストのトラフィック量、
ユニキャストを受信している端末数、
ユニキャストを受信する可能性のあるアクティブ状態の端末数、
ＭＢＳＦＮを受信している端末数とユニキャストを受信している端末数の比、
ＶｏＩＰ（Ｖｏｉｃｅ  ｏｖｅｒ  Ｉｎｔｅｒｎｅｔ  Ｐｒｏｔｏｃｏｌ）を行っている端末数、
実行中のＭＢＳＦＮの品質又は該品質を推定できる情報、
の少なくとも１つの情報を前記通信状況情報として基地局装置から受信し、
前記基地局装置から受信した前記通信状況情報を基に、
周期的、又は、予め指定したイベント発生時に、
ＭＢＳＦＮ、及び、ＭＢＳＦＮと同時刻に行う通信の少なくとも一方の送信パラメータを決定し、前記通信制御情報として、前記基地局装置へ通知する、ことを特徴とする請求項２４記載のマルチセル／マルチキャスト協調制御装置。
【請求項２６】
複数の無線局の全て又は１部からの通信状況情報を受け、複数の無線局によるマルチキャストにおける通信制御情報を出力する、ことを特徴とする無線通信方法。
【請求項２７】
複数の無線局が同期して、同じ周波数で同じコンテンツを、同時送信するＭＢＳＦＮ（Ｍｕｌｔｉｍｅｄｉａ  Ｂｒｏａｄｃａｓｔ  Ｍｕｌｔｉｃａｓｔ  Ｓｅｒｖｉｃｅ  Ｓｉｎｇｌｅ  Ｆｒｅｑｕｅｎｃｙ  Ｎｅｔｗｏｒｋ）の対象範囲であるＭＢＳＦＮエリア内の前記通信状況情報を受け、ＭＢＳＦエリアの通信制御情報を出力する、ことを特徴とする請求項２６に記載の無線通信方法。
【請求項２８】
前記通信状況情報は、
システム構成要素と、
マルチキャスト関連情報と、
ユニキャスト関連情報
の少なくとも１つを含み、
前記通信制御情報は、
ＭＢＳＦＮエリアの送信パラメータと、ＭＢＳＦＮエリアのセルタイプ、
の少なくとも１つを含む、ことを特徴とする請求項２７に記載の無線通信方法。
【請求項２９】
前記ＭＢＳＦＮエリア内に、
ＭＢＳＦＮとユニキャストの両方を行う無線局と、
ＭＢＳＦＮを行わない無線局と、
を備え、
ＭＢＳＦＮエリア内の、
ＭＢＳＦＮを行う無線局によるＭＢＳＦＮのための前記通信制御情報と、
ＭＢＳＦＮが行われる時刻における、ＭＢＳＦＮを行わない無線局による通信のための前記通信制御情報を出力する、請求項２７又は２８に記載の無線通信方法。
【請求項３０】
ＭＢＳＦＮの要求条件を満たすように、前記通信制御情報を出力する、ことを特徴とする請求項２７乃至２９のいずれか１項に記載の無線通信方法。
【請求項３１】
複数の無線局の全て又は１部からの通信状況情報を受け、複数の無線局によるマルチキャストにおける通信制御情報を出力する処理を、コンピュータに実行させるプログラム。
【請求項３２】
複数の無線局が同期して、同じ周波数で同じコンテンツを、同時送信するＭＢＳＦＮ（Ｍｕｌｔｉｍｅｄｉａ  Ｂｒｏａｄｃａｓｔ  Ｍｕｌｔｉｃａｓｔ  Ｓｅｒｖｉｃｅ  Ｓｉｎｇｌｅ  Ｆｒｅｑｕｅｎｃｙ  Ｎｅｔｗｏｒｋ）の対象範囲であるＭＢＳＦＮエリア内の前記通信状況情報を受け、ＭＢＳＦエリアの通信制御情報を出力する処理を、前記コンピュータに実行させる請求項３１に記載のプログラム。
【請求項３３】
ａ）マルチセル／マルチキャスト協調制御装置（ＭＣＥ：Ｍｕｌｔｉ−ｃｅｌｌ／Ｍｕｌｔｉｃａｓｔ  Ｃｏｏｒｄｉｎａｔｉｏｎ  Ｅｎｔｉｔｙ）に、ユニキャストのトラフィック量と、ＭＢＳＦＮ（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）のＭＣＳ（変調符号化方式）、ＭＢＳＦＮサブフレーム数、リザーブドセル送信電力又は送信電力の上限値、の少なくとも１つと、をテーブルとして用意しておき、
ｂ）ＭＢＳＦＮエリアの基地局は自セルのユニキャストのトラフィック量を前記マルチセル／マルチキャスト協調制御装置に、周期的に、又は、所定のトリガーで、送信し、
ｃ）前記マルチセル／マルチキャスト協調制御装置は、ＭＢＳＦＮエリアの前記基地局からユニキャストのトラフィック量を受け取り、前記テーブルを参照し、前記受け取ったトラフィック量に基づき、
ＭＢＳＦＮの変調符号化方式、ＭＢＳＦＮサブフレーム数、
リザーブドセル送信電力又は送信電力の上限値
の少なくとも１つを選択し、
ｄ）前記マルチセル／マルチキャスト協調制御装置は、
ＭＢＳＦＮサービスセルに、ＭＢＳＦＮサブフレーム数、ＭＢＳＦＮの変調符号化方式の少なくとも１つを転送し、
リザーブドセルに、ＭＢＳＦＮサブフレーム数、リザーブドセル送信電力又は送信電力の上限値、の少なくとも１つを転送し、
ｅ）前記基地局は、前記マルチセル／マルチキャスト協調制御装置からの設定情報に従い送信パラメータを設定する、無線通信方法。
【請求項３４】
マルチセル送信において、マルチセル／マルチキャスト協調制御装置（ＭＣＥ：Ｍｕｌｔｉ−ｃｅｌｌ／Ｍｕｌｔｉｃａｓｔ  Ｃｏｏｒｄｉｎａｔｉｏｎ  Ｅｎｔｉｔｙ）は、同一ＭＢＳＦＮエリア内の全て又は一部の基地局から、マルチキャスト関連情報及び／又はユニキャスト関連情報を収集し、
前記マルチセル／マルチキャスト協調制御装置は、ＭＢＳＦＮエリア内の送信パラメータを出力する、無線通信方法。
【請求項３５】
前記マルチキャスト関連情報は、
ＭＢＭＳ／ＭＢＳＦＮの受信／受信希望を行う端末の数、及び、ＭＢＭＳ／ＭＢＳＦＮのエラーレートの少なくとも１つを含み、
前記ユニキャスト関連情報は、
無線リンク確立（ＲＲＣ＿ＣＯＮＮＥＣＴＥＤ）状態の端末の数、
ＶｏＩＰ（Ｖｏｉｃｅ  ｏｖｅｒ  ＩＰ）の端末数、及び、
ポイントツーポイントトラフィック量の少なくとも１つを含み、
マルチキャスト及びユニキャスト関連情報は、
マルチキャストサービスを受ける端末の数とユニキャストを受ける端末の数の比を含み、
前記マルチセル／マルチキャスト協調制御装置は、ＭＢＳＦＮエリア内のＭＢＳＦＮ送信及び／又はユニキャスト送信のための送信パラメータを出力し、
前記ＭＢＳＦＮ用の送信パラメータは、
ＭＢＳＦＮサブフレーム数とＭＢＳＦＮサブフレームのマイクロ／マクロレベルの割当を示すＭＳＡＰ（Ｍｕｌｔｉｃａｓｔ  ｃｈａｎｎｅｌ  Ｓｕｂｆｒａｍｅ  Ａｌｌｏｃａｔｉｏｎ  Ｐａｔｔｅｒｎ；マルチキャストチャネル・サブフレーム割当パターン）、
ＭＣＳ（Ｍｏｄｕｌａｔｉｏｎ  ａｎｄ  Ｃｏｄｉｎｇ  Ｓｃｈｅｍｅ）、
最大送信電力
の少なくとも１つを含み、
ユニキャスト用送信パラメータは、
最大送信電力、及び／又は、
ＭＢＳＦＮエリアのリザーブドセルにおけるユニキャスト送信用に利用可能な周波数帯を含む、請求項３４に記載の無線通信方法。
【請求項３６】
ＭＢＳＦＮ（Ｍｕｌｔｉｍｅｄｉａ  Ｂｒｏａｄｃａｓｔ  Ｍｕｌｔｉｃａｓｔ  Ｓｅｒｖｉｃｅ  Ｓｉｎｇｌｅ  Ｆｒｅｑｕｅｎｃｙ  Ｎｅｔｗｏｒｋ）エリアの基地局から自セルのユニキャストのトラフィック量を受け取り、
ＭＢＳＦＮの品質の要求条件を満たしつつ、ＭＢＳＦＮエリアのユニキャスト・トラッフィック量、端末数、ＭＢＳＦＮエリアを構成するセル数の少なくとも１つを基に、ＭＢＳＦＮの変調符号化方式、ＭＢＳＦＮサブフレーム数、リザーブドセル送信電力又は送信電力の上限値、の少なくとも１つを含む送信パラメータを決定し、
ＭＢＳＦＮサービスセルに、ＭＢＳＦＮサブフレーム数、ＭＢＳＦＮの変調符号化方式、の少なくとも１つを転送し、
リザーブドセルに、ＭＢＳＦＮサブフレーム数、リザーブドセル送信電力又は送信電力の上限値、の少なくとも１つを転送する、マルチセル／マルチキャスト協調制御装置（ＭＣＥ：Ｍｕｌｔｉ−ｃｅｌｌ／Ｍｕｌｔｉｃａｓｔ  Ｃｏｏｒｄｉｎａｔｉｏｎ  Ｅｎｔｉｔｙ）。
【請求項３７】
ＭＢＳＦＮ（Ｍｕｌｔｉｍｅｄｉａ  Ｂｒｏａｄｃａｓｔ  Ｍｕｌｔｉｃａｓｔ  Ｓｅｒｖｉｃｅ  Ｓｉｎｇｌｅ  Ｆｒｅｑｕｅｎｃｙ  Ｎｅｔｗｏｒｋ）エリアの基地局から自セルのユニキャストのトラフィック量を受け取り、
ＭＢＳＦＮの品質の要求条件を満たしつつ、ＭＢＳＦＮエリアのユニキャスト・トラッフィック量、端末数、ＭＢＳＦＮエリアを構成するセル数の少なくとも１つを基に、ＭＢＳＦＮの変調符号化方式、ＭＢＳＦＮサブフレーム数、リザーブドセル送信電力又は送信電力の上限値、の少なくとも１つを含む送信パラメータを決定し、
ＭＢＳＦＮサービスセルに、ＭＢＳＦＮサブフレーム数、ＭＢＳＦＮの変調符号化方式を転送し、
リザーブドセルに、ＭＢＳＦＮサブフレーム数、リザーブドセル送信電力又は送信電力の上限値、の少なくとも１つを転送する、マルチセル／マルチキャスト協調（Ｍｕｌｔｉ−ｃｅｌｌ／Ｍｕｌｔｉｃａｓｔ  Ｃｏｏｒｄｉｎａｔｉｏｎ）制御方法。
【請求項３８】
前記通信制御情報を、マルチセル／マルチキャスト協調制御装置（ＭＣＥ：Ｍｕｌｔｉ−ｃｅｌｌ／Ｍｕｌｔｉｃａｓｔ  Ｃｏｏｒｄｉｎａｔｉｏｎ  Ｅｎｔｉｔｙ）が出力する、請求項４、５、６、７、１２、１３のいずれか１項に記載の無線通信システム。
【発明の詳細な説明】
【技術分野】
【０００１】
［関連出願の記載］
本発明は、日本国特許出願：特願２００８−１７２７９８号（２００８年７月１日出願）の優先権主張に基づくものであり、同出願の全記載内容は引用をもって本書に組み込み記載されているものとする。
本発明は、ＭＢＳＦＮ（Ｍｕｌｔｉｍｅｄｉａ  Ｂｒｏａｄｃａｓｔ  Ｍｕｌｔｉｃａｓｔ  ｓｅｒｖｉｃｅ  Ｓｉｎｇｌｅ  Ｆｒｅｑｕｅｎｃｙ  ＮｅｔｗｏｒｋあるいはＭｕｌｔｉｃａｓｔ／Ｂｒｏａｄｃａｓｔ  ｏｖｅｒ  Ｓｉｎｇｌｅ  Ｆｒｅｑｕｅｎｃｙ  Ｎｅｔｗｏｒｋ）とＵｎｉｃａｓｔ（ユニキャスト）を行う無線通信システムに関し、特に、ＭＢＳＦＮをサポートする範囲内に、ＭＢＳＦＮを行う領域とＭＢＳＦＮと同時刻にＵｎｉｃａｓｔを行う領域とが混在する無線通信システムに関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（Ｌｏｎｇ  Ｔｅｒｍ  Ｅｖｏｌｕｔｉｏｎ）において、複数の基地局が同期して、ＭＢＭＳ（Ｍｕｌｔｉｍｅｄｉａ  Ｂｒｏａｄｃａｓｔ  ａｎｄ  Ｍｕｌｔｉｃａｓｔ  Ｓｅｒｖｉｃｅ：マルチメディアブロードキャスト・マルチキャストサービス）を同一周波数で行うＭＢＳＦＮをサポートすることが決定された。【０００３】
ＬＴＥで規定されているＭＢＳＦＮエリア（ＭＢＳＦＮ  ａｒｅａ：同じＭＢＳＦＮを行うために複数の基地局が同期している範囲）は、
・ＭＢＳＦＮを行うセル（ＭＢＳＦＮ  ｔｒａｎｓｍｉｔｔｉｎｇ  ａｎｄ  ａｄｖｅｒｔｉｓｉｎｇ  ｃｅｌｌ：ＭＢＳＦＮトランスミッティング・アドバタイジングセル：以下、「ＭＢＳＦＮサービスセル」という）と、
・ＭＢＳＦＮを行わず、Ｕｎｉｃａｓｔ（ユニキャスト）あるいはシングルセル・マルチキャストのみを行うセル（ＭＢＳＦＮ  ａｒｅａ  ｒｅｓｅｒｖｅｄ  ｃｅｌｌ：ＭＢＳＦＮエリア・リザーブドセル：以下、「Ｒｅｓｅｒｖｅｄセル」という）と、から構成される（非特許文献１）。なお、ＭＢＳＦＮ、Ｕｎｉｃａｓｔ（ユニキャスト）、Ｍｕｌｔｉｃａｓｔ（マルチキャスト）とは、ＭＢＳＦＮ、Ｕｎｉｃａｓｔ、Ｍｕｌｔｉｃａｓｔのそれぞれを用いた通信だけでなくＭＢＳＦＮ、Ｕｎｉｃａｓｔ、Ｍｕｌｔｉｃａｓｔのそれぞれを用いたサービスを含む。【０００４】
ＵｎｉｃａｓｔとＭＢＳＦＮはサブフレーム単位に時分割多重（ＴＤＭ）される。例えば１０サブフレームで１フレームを構成する場合、ＭＢＳＦＮサブフレーム数が４の場合、残り６サブフレームは、Ｕｎｉｃａｓｔサブフレームとなる。【０００５】
ＭＢＳＦＮサービスセルにおいて、ＭＢＳＦＮサブフレーム（ＭＢＳＦＮを行うためのサブフレーム）以外は、Ｕｎｉｃａｓｔ（ユニキャスト）となる。【０００６】
Ｒｅｓｅｒｖｅｄセルでは、ＭＢＳＦＮエリア内の他の複数のセルでＭＢＳＦＮを行う時間帯（ＭＢＳＦＮサブフレーム送信時間期間）には、
送信電力を抑えてＵｎｉｃａｓｔ（例えばセル中央の端末へのみＵｎｉｃａｓｔ送信する）を行うか、あるいは、シングルセル・マルチキャストを行うか、あるいは、
データを何も送信しない、
制御が行われる。【０００７】
このＲｅｓｅｒｖｅｄセルの目的の１つは、他のＭＢＳＦＮエリアやＵｎｉｃａｓｔセルとの境界に配置し、ＭＢＳＦＮエリアの外からの干渉を低減して、ＭＢＳＦＮのカバレッジ、ｏｕｔａｇｅ（アウテージ）を改善することである。【０００８】
Ｒｅｓｅｒｖｅｄセルの送信電力又は送信電力の上限値は、例えば、予め用意されたテーブル（Ｄｅｃｉｓｉｏｎ  Ｔａｂｌｅ）等を用いて、ＭＢＳＦＮのｏｕｔａｇｅのターゲット値と、ＭＢＳＦＮのＭＣＳ（Ｍｏｄｕｌａｔｉｏｎ  ａｎｄ  ｃｏｄｉｎｇ  Ｓｃｈｅｍｅ：モジュレーション・コーディングスキーム：変調・符号化方式）とから決定される。【０００９】
なお、ｏｕｔａｇｅは、ユーザが通信システムのサービスの要求条件を満たしていないことを表し、例えばシステムの許容性能の閾値（ｏｕｔａｇｅ  ｔｈｒｅｓｈｏｌｄ）以下となるサービス条件に対応する。この閾値（ｏｕｔａｇｅ  ｔｈｒｅｓｈｏｌｄ）は、システムが動作状態にあるものとみなすことができる最低の性能指標である。例えば、所要の誤り率のＯｕｔａｇｅ、つまり、Ｏｕｔａｇｅ  ｐｒｏｂａｂｉｌｉｔｙ（アウテージ確率）を用いる場合、所要誤り率がＯｕｔａｇｅ  Ｐｒｏｂａｂｉｌｉｔｙを超えるユーザが全体のｘ％未満（例えば５％）であることが、システムが正常動作していると判断される基準となる。【００１０】
予め用意したテーブルを用いて、Ｒｅｓｅｒｖｅｄセルの送信電力又は送信電力の上限値を決定する従来法について、図２４、図２５を参照して以下に説明する。図２４に示すように、ＭＢＳＦＮサービスセルとＲｅｓｅｒｖｅｄセルから構成されるＭＢＳＦＮエリアがあり、その周辺にＵｎｉｃａｓｔセルが隣接しているものとする。【００１１】
図２５は、Ｒｅｓｅｒｖｅｄセルの送信電力又は送信電力の上限値を決定するためのテーブルの一例を示した図である。図２５に示すように、ＭＢＳＦＮの所要誤り率のＯｕｔａｇｅ確率（％）と、ＭＣＳ、及び、Ｒｅｓｅｒｖｅｄセルの送信電力又は送信電力の上限値の関係（対応）が、メモリ等にテーブルとして用意される。なお、図２５におけるテーブルの値は、予め計算機シミュレーション等により求めたものである。【００１２】
はじめに、図２５のテーブルの見方を説明しておく。特に制限されないが、無線通信では一般的にＭＢＳＦＮ  ＭＣＳの番号は、小さいほど、低変調率、低符号化率であり、番号がおおきいほど、高変調率、高符号化率とされる。例えば、ＭＣＳ  １はＱＰＳＫ（Ｑｕａｄｒａｔｕｒｅ  Ｐｈａｓｅ  Ｓｈｉｆｔ  Ｋｅｙｉｎｇ：直交位相シフトキーイング）、ＭＣＳ  １０は１６ＱＡＭ（Ｑｕａｄｒａｔｕｒｅ  Ａｍｐｌｉｔｕｄｅ  Ｍｏｄｕｌａｔｉｏｎ：直交振幅変調）等に対応する。【００１３】
Ｒｅｓｅｒｖｅｄセルの送信電力又は送信電力の上限値を１００％（ＭＢＳＦＮサブフレームの送信電力に対する割合が１００％であり、最大送信電力）とすると、ＭＢＳＦＮ  ＭＣＳ  １では、Ｏｕｔａｇｅ確率は２０％とされる（１００台中２０台の端末がＭＢＳＦＮを受けられない）。ＭＢＳＦＮ  ＭＣＳ  ２では、Ｏｕｔａｇｅ確率（％）は４０％であり、これは、１００台中４０台の端末がＭＢＳＦＮを受けられない状態に対応する。ＭＢＳＦＮ  ＭＣＳ  １０の場合、Ｏｕｔａｇｅ確率（％）は１００％であり、これは、１００台中１００台の端末がＭＢＳＦＮを受けられない状態に対応する。【００１４】
Ｒｅｓｅｒｖｅｄセルの送信電力又は送信電力の上限値を抑えて５０％とすると、ＭＢＳＦＮ  ＭＣＳ１では、Ｏｕｔａｇｅ確率は１０％とされる（１００台中１０台の端末がＭＢＳＦＮを受けられない）。ＭＢＳＦＮ  ＭＣＳ  ２では、Ｏｕｔａｇｅ確率（％）は２０％であり、これは、１００台中２０台の端末がＭＢＳＦＮを受けられない状態に対応する。ＭＢＳＦＮ  ＭＣＳ  １０の場合、Ｏｕｔａｇｅ確率（％）は８０％であり、これは、１００台中８０台の端末がＭＢＳＦＮを受けられない状態に対応する。【００１５】
Ｒｅｓｅｒｖｅｄセル電力を０％（データ送信無し）とすると、ＭＢＳＦＮ  ＭＣＳ１では、Ｏｕｔａｇｅ確率は０％となる（ＭＢＳＦＮのＯｕｔａｇｅ確率（％）が０％とは、ＭＢＳＦＮを受けられないユーザ（端末）が０％であることを表す）。ＭＢＳＦＮ  ＭＣＳ  ２では、Ｏｕｔａｇｅ確率（％）は２％であり、これは、１００台中２台の端末がＭＢＳＦＮを受けられない状態に対応する。ＭＢＳＦＮ  ＭＣＳ  １０の場合、Ｒｅｓｅｒｖｅｄセルの電力を０％とすると、Ｏｕｔａｇｅ確率（％）は１０％であり、これは、１００台中１０台の端末がＭＢＳＦＮを受けられない状態に対応する。【００１６】
実際に送信されるＭＢＳＦＮの品質の要求条件からＭＢＳＦＮのＯｕｔａｇｅ確率を決定し、ＲｅｓｅｒｖｅｄセルにおけるＰＴＰ（Ｐｏｉｎｔ  Ｔｏ  Ｐｏｉｎｔ、ポイントツーポイント）トラフィック量等を基に、
・Ｏｕｔａｇｅ確率を満たすＭＢＳＦＮ  ＭＣＳと、
・ＲｅｓｅｒｖｅｄセルのＭＢＳＦＮサブフレームにおける送信電力又は送信電力の上限値（ＭＢＳＦＮ電力に対する割合）
を決定する。なお、ＰＴＰは、Ｕｎｉｃａｓｔ（ユニキャスト）と同義であり、個別通信方式、あるいは、個別通信方式によるサービスを表す。【００１７】
例えば、ＭＢＳＦＮサブフレーム数を固定とし、
ＭＢＳＦＮのＯｕｔａｇｅ確率のターゲット値を１０％、
ＭＣＳを２
とした場合、図２５から、
Ｒｅｓｅｒｖｅｄセルの送信電力又は送信電力の上限値は、ＭＢＳＦＮの最大送信電力の１０％と決定される。【００１８】
一方、ＭＢＳＦＮの伝送レートを固定とする場合には、ＭＢＳＦＮのＭＣＳの値（通常、値が、小さい値ほど低レート）に反比例するように、ＭＢＳＦＮサブフレーム数を変更する。ＭＢＳＦＮのＭＣＳの値が小さい場合、１フレームあたりのＭＢＳＦＮサブフレーム数を増やす。
【先行技術文献】
【非特許文献】
【００１９】
【非特許文献１】３ＧＰＰ  ＴＳＧ  ＲＡＮ  ＷＧ２、  Ｓｔａｇｅ２  ｓｐｅｃｉｆｉｃａｔｉｏｎ  ３６．３００  ｖ８．３．０  ｈｔｔｐ：／／ｗｗｗ．３ｇｐｐ．ｏｒｇ／ｆｔｐ／Ｓｐｅｃｓ／ｈｔｍｌ−ｉｎｆｏ／３６３００．ｈｔｍ
【発明の概要】
【発明が解決しようとする課題】
【００２０】
なお、上記非特許文献１の全開示内容はその引用をもって本書に繰込み記載する。以下の分析は、本発明によって与えられたものである。
以下に本発明による関連技術の分析を与える。【００２１】
上述した従来技術では、予め用意したＭＢＳＦＮのＯｕｔａｇｅ確率のターゲット値、ＭＢＳＦＮのＭＣＳ、Ｒｅｓｅｒｖｅｄセルの送信電力又は送信電力の上限値の関係を示すテーブルに従い、Ｒｅｓｅｒｖｅｄセル電力を設定している。従って、ＭＢＳＦＮの品質のみを考慮し、ＭＢＳＦＮ以外の品質を考慮していない。このため、ＭＢＳＦＮ以外の品質あるいはキャパシティに影響を生じる場合がある。【００２２】
本発明の目的は、ＭＢＳＦＮの品質の要求条件を満たしつつ、ＭＢＳＦＮエリアのＰＴＰ（ポイントツーポイント）・システムスループットの観点からの最適設定を可能たらしめる無線通信システム、基地局装置、及びマルチセル／マルチキャスト協調制御装置（ＭＣＥ：Ｍｕｌｔｉ−ｃｅｌｌ／Ｍｕｌｔｉｃａｓｔ  Ｃｏｏｒｄｉｎａｔｉｏｎ  Ｅｎｔｉｔｙ）、無線通信方法、プログラムを提供することにある。
【課題を解決するための手段】
【００２３】
本発明によれば、複数の無線局の全て又は１部からの通信状況情報を受け、複数の無線局によるマルチキャストにおける通信制御情報を出力するシステム（方法、プログラム）が提供される。【００２４】
本発明によれば、複数の無線局が同期して同じ周波数で同じコンテンツを同時送信するＭＢＳＦＮ（Ｍｕｌｔｉｍｅｄｉａ  Ｂｒｏａｄｃａｓｔ  Ｍｕｌｔｉｃａｓｔ  Ｓｅｒｖｉｃｅ  Ｓｉｎｇｌｅ  Ｆｒｅｑｕｅｎｃｙ  Ｎｅｔｗｏｒｋ）の対象範囲であるＭＢＳＦＮエリア内の複数の無線局から通信状況情報を受け、ＭＢＳＦＮエリアの通信制御情報を出力するシステム（方法、プログラム）が提供される。【００２５】
本発明によれば、１又は複数の他の基地局装置と同期して、同じ周波数で同じコンテンツを同時送信するＭＢＳＦＮ（Ｍｕｌｔｉｍｅｄｉａ  Ｂｒｏａｄｃａｓｔ  Ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）の機能と、ユニキャストの機能と、を備える基地局装置であって、マルチセル／マルチキャスト協調制御装置（ＭＣＥ：Ｍｕｌｔｉ−ｃｅｌｌ／Ｍｕｌｔｉｃａｓｔ  Ｃｏｏｒｄｉｎａｔｉｏｎ  Ｅｎｔｉｔｙ）へ通信状況情報を通知し、前記マルチセル／マルチキャスト協調制御装置から通信制御情報を受信し、ＭＢＳＦＮあるいはユニキャスト又はシングルセル・マルチキャストを行う基地局装置が提供される。【００２６】
本発明によれば、複数の基地局装置が同期して同じ周波数で同じコンテンツを同時送信するＭＢＳＦＮ（Ｍｕｌｔｉｍｅｄｉａ  Ｂｒｏａｄｃａｓｔ  Ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）の通信制御情報を出力するマルチセル／マルチキャスト協調制御装置（ＭＣＥ：Ｍｕｌｔｉ−ｃｅｌｌ／Ｍｕｌｔｉｃａｓｔ  Ｃｏｏｒｄｉｎａｔｉｏｎ  Ｅｎｔｉｔｙ）であって、ＭＢＳＦＮの対象範囲であるＭＢＳＦＮエリア内での、通信状況情報を基地局装置から受信し、前記通信制御情報を前記基地局装置へ通知するマルチセル／マルチキャスト協調制御装置（ＭＣＥ）が提供される。【００２７】
本発明において、マルチセル／マルチキャスト協調制御装置（ＭＣＥ）は、ＭＢＳＦＮの品質の要求条件を満たしつつ、ＭＢＳＦＮエリアのユニキャスト・トラッフィック量、端末数、ＭＢＳＦＮエリアを構成するセル数などを基に、ＭＢＳＦＮエリアのシステムスループットを最大化するようにＭＢＳＦＮのＭＣＳおよびサブフレーム数、Ｒｅｓｅｒｖｅｄセルの送信電力などの送信パラメータを適応的に出力する。
【発明の効果】
【００２８】
本発明によれば、ＭＢＳＦＮの品質の要求条件を満たしつつ、ＭＢＳＦＮ  ａｒｅａのＰＴＰ（ポイントツーポイント）・システムスループットの最大化を実現できる。
【図面の簡単な説明】
【００２９】
【図１】本発明による無線通信ネットワーク装置の構成例１の図である。
【図２】本発明によるシーケンス図の例１である。
【図３】本発明による無線通信ネットワーク装置の構成例２の図である。
【図４】本発明によるシーケンス図の例２である。
【図５】本発明による無線通信ネットワーク装置の構成例３の図である。
【図６】本発明による制御のコンセプト図である。
【図７】本発明で用いるＰＴＰトラフィック量の説明図である。
【図８】本発明による実施例におけるＭＢＳＦＮエリアの構成例の図である。
【図９】本発明による実施例におけるＭＢＳＦＮエリアの送信パラメータの制御例の図である。
【図１０】本発明による実施例におけるＭＢＳＦＮエリアの送信パラメータの制御例の図である。
【図１１】本発明による第１及び第２の実施例におけるＭＢＳＦＮエリアの構成例の図である。
【図１２】本発明による第１及び第２の実施例におけるＭＢＳＦＮエリアの送信パラメータの制御例の図である。
【図１３】本発明による第１及び第２の実施例における基地局のブロック図である。
【図１４】本発明による第１の実施例における基地局での処理のフローチャートである。
【図１５】本発明による第１の実施例におけるＭＣＥのブロック図である。
【図１６】本発明による第１の実施例におけるＭＣＥでの処理のフローチャートである。
【図１７】本発明による第１の実施例におけるＭＢＳＦＮエリアの送信パラメータの決定に用いるテーブルの図である。
【図１８】本発明による第１の実施例におけるＭＢＳＦＮエリアの送信パラメータの決定に用いるテーブルの図である。
【図１９】本発明による第１の実施例におけるＭＢＳＦＮエリアの送信パラメータの決定に用いるＰＴＰトラフィック量の時間変化及びそれを基に決定したＭＢＳＦＮエリアの送信パラメータの図である。
【図２０】本発明による第２の実施例におけるＭＣＥのブロック図である。
【図２１】本発明による第２の実施例におけるＭＣＥでの処理のフローチャートである。
【図２２】本発明による第２の実施例におけるＭＢＳＦＮエリアの送信パラメータの決定に用いるテーブルの図である。
【図２３】本発明による第２の実施例におけるＭＢＳＦＮエリアの送信パラメータの決定に用いるテーブルの図である。
【図２４】関連技術を説明するためのＭＢＳＦＮエリアのセル配置例の図である。
【図２５】関連技術におけるＭＢＳＦＮエリアの送信パラメータの決定に用いるテーブルの図である。
【符号の説明】
【００３０】
１０１、  ｅＢＭＳＣ
１０２、  Ｅ−ＭＢＭＳ  ＧＷ
１０３、  １０７、  ２０９、  ３０１  ＭＣＥ
１０４、  １０５、  １０６、  １０８、  １０９、  ２０１  ｅＮＢ
２０２  ＭＢＳＦＮ制御部
２０３  ＭＢＳＦＮ信号送信部
２０４  Ｕｎｉｃａｓｔ信号制御部
２０５  Ｕｎｉｃａｓｔ信号送信部
２０６  Ｕｎｉｃａｓｔ信号受信部
２０７  Ｕｎｉｃａｓｔ信号復号部
２０８  ＭＢＳＦＮ関連情報生成部
２０９  システムスループット推定値算出部
２１０  送信形態制御部
３０２  平均トラフィック算出部
３０３  送信形態制御部
【発明を実施するための最良の形態】
【００３１】
本発明においては、複数の無線局が同期して、同じ周波数で同じコンテンツを、同時送信するＭＢＳＦＮ（Ｍｕｌｔｉｍｅｄｉａ  Ｂｒｏａｄｃａｓｔ  Ｍｕｌｔｉｃａｓｔ  Ｓｅｒｖｉｃｅ  Ｓｉｎｇｌｅ  Ｆｒｅｑｕｅｎｃｙ  Ｎｅｔｗｏｒｋ）の対象範囲であるＭＢＳＦＮエリア内の複数の無線局から通信状況情報を受け、ＭＢＳＦＮエリアの通信制御情報を出力する。【００３２】
本発明においては、前記ＭＢＳＦＮエリア内に、ＭＢＳＦＮとユニキャストの両方を行う無線局と、ＭＢＳＦＮを行わない無線局と、を備え、
ＭＢＳＦＮエリア内の
ＭＢＳＦＮを行う無線局によるＭＢＳＦＮのための前記通信制御情報と、
ＭＢＳＦＮが行われる時刻における、前記ＭＢＳＦＮを行わない無線局による通信のための前記通信制御情報を出力する。【００３３】
本発明において、前記通信状況情報は、システム構成要素と、マルチキャスト関連情報と、ユニキャスト関連情報の少なくとも１つを含む。前記通信制御情報は、ＭＢＳＦＮエリアの送信パラメータと、ＭＢＳＦＮエリアに属する各セルのセルタイプの少なくとも１つを含む。本発明において、ＭＢＳＦＮの要求条件を満たすように、前記通信制御情報を出力する。要求条件として、複数段階設定されている場合には、少なくとも最低レベルの要求条件を満たすように出力する。【００３４】
本発明が提供する無線通信システム、基地局装置、及びマルチセル／マルチキャスト協調制御装置（ＭＣＥ）において、
ＭＢＳＦＮエリア内のシステム構成要素である
ＭＢＳＦＮを行う基地局の数、
ＭＢＳＦＮを行う基地局が管理するエリアの数、
ＭＢＳＦＮを行う基地局が管理するエリアの大きさ、
ＭＢＳＦＮを行わない基地局の数、
ＭＢＳＦＮを行わない基地局が管理するエリアの数、
ＭＢＳＦＮを行わない基地局が管理するエリアの大きさ、
の少なくとも１つ、
及び／又は、
マルチキャスト関連情報である、
ＭＢＳＦＮを受信している端末数あるいはそれを推定できる情報、
ＭＢＳＦＮの受信を希望している端末数あるいはそれを推定できる情報、
実行中のＭＢＳＦＮの品質（誤り率）あるいはそれを推定できる情報、
ＭＢＳＦＮを受信している端末数とユニキャストのサービスを受信している端末数の比、
の少なくとも１つ、
及び／又は、
ユニキャスト関連情報である、
ユニキャストのトラフィック量、
ユニキャストを受信している端末数、
ユニキャストを受信する可能性のあるアクティブ状態の端末数、
ＶｏＩＰ（Ｖｏｉｃｅ  ｏｖｅｒ  Ｉｎｔｅｒｎｅｔ  Ｐｒｏｔｏｃｏｌ）を行っている端末数、
の少なくとも１つを基に、ＭＢＳＦＮエリアのＭＢＳＦＮサブフレームにおける送信パラメータを適応的に出力する。【００３５】
本発明において、ＭＢＳＦＮの品質の要求条件として、予め定められた所定の指標のアウテージ（Ｏｕｔａｇｅ）、カバレッジ、伝送レート、受信ＳＩＲ（Ｓｉｇｎａｌ−ｔｏ−Ｉｎｔｅｒｆｅｒｅｎｃｅ）、受信ＳＩＮＲ（Ｓｉｇｎａｌ−ｔｏ−Ｉｎｔｅｒｆｅｒｅｎｃｅ  ａｎｄ  Ｎｏｉｓｅ  ｐｏｗｅｒ  Ｒａｔｉｏ）のうち１つ以上を用いる。【００３６】
ＭＢＳＦＮのＯｕｔａｇｅのターゲット値を設定する場合、ＭＢＳＦＮの伝送レートを（ほぼ）一定に保つ方法と、伝送レートを考慮しない（一定に保つという条件を設定しない）方法がある。ＭＢＳＦＮのカバレッジについても同様に２つの場合、つまり一定に保つ場合と一定に保つという条件を設定しない場合がある。【００３７】
本発明において、ＭＢＳＦＮエリアの通信制御情報を構成する送信パラメータとしては、
変調方式、
符号化率、
ＭＢＳＦＮに使用する無線リソースの割り当て、又は、割合、又は割り当て量、
送信電力又は送信電力の上限値、
既知系列からなるリファレンスシグナル（Ｒｅｆｅｒｅｎｃｅ  ｓｉｇｎａｌ）、
スクランブリングコード（Ｓｃｒａｍｂｌｉｎｇ  ｃｏｄｅ）、
のうちの少なくも一つを出力するようにしてもよい。より具体的には、
変調方式、
符号化率、
ＭＢＳＦＮサブフレーム数、
ＭＢＳＦＮサブフレーム位置、
ＭＢＳＦＮフレーム位置、
ＭＢＳＦＮフレーム周期、
ＭＢＳＦＮを行わない無線局のＭＢＳＦＮと同時刻に行う通信の送信電力又は送信電力の上限値、
ＭＢＳＦＮを行わない無線局のＭＢＳＦＮと同時刻に行う通信の周波数利用率、
ＭＢＳＦＮを行わない無線局のＭＢＳＦＮと同時刻に行う通信の周波数帯域、
リファレンスシグナル、
スクランブルコード
のうち少なくとも１つを出力する。ＭＢＳＦＮエリア内のＭＢＳＦＮを行わない無線局は、ユニキャストとマルチキャストの一方を行う。【００３８】
本発明においては、ＭＢＳＦＮとユニキャストをＮサブフレーム（但し、Ｎは所定の正整数）から構成されるフレームを単位として時間領域で切り替え、前記ＭＢＳＦＮに使用する無線リソースの割り当て量として、サブフレーム数を用いる。なお、複数フレームを単位として時間領域で切り替える方法にも本発明が適用できることは言うまでもない。【００３９】
本発明において、ＭＢＳＦＮとユニキャストをＮサブフレーム（但し、Ｎは所定の正整数）から構成されるフレームを単位として時間領域で切り替え、前記ＭＢＳＦＮに使用する無線リソースの割り当てとして、
ＭＢＳＦＮを行うサブフレーム番号、
先頭サブフレーム番号と使用するサブフレーム数、
ＭＢＳＦＮを行うフレーム番号又は該フレーム番号を示す情報、
ＭＢＳＦＮを行うフレームの周期
の少なくとも１つを用いるようにしてもよい。【００４０】
本発明において、ＭＢＳＦＮとユニキャストを周波数領域で切り替え、
前記ＭＢＳＦＮに使用する無線リソースの割り当て量として、
連続又は不連続の周波数帯域の合計を用いるようにしてもよい。【００４１】
本発明において、ＭＢＳＦＮとユニキャストを周波数領域で切り替え、
前記ＭＢＳＦＮに使用する無線リソースの割り当てとして、
連続又は不連続の周波数帯域の位置を用いるようにしてもよい。【００４２】
本発明において、ＭＢＳＦＮと同時刻で行うユニキャストの送信パラメータとして、
送信電力又は送信電力の上限値、
周波数利用率、
周波数帯域のうち少なくとも１つを用いるようにしてもよい。【００４３】
本発明においては、ＭＢＳＦＮの要求条件を満たしつつ、ＭＢＳＦＮの対象範囲内におけるユニキャストのポイントツーポイント・トータルシステム・スループットを大きくする、又は最大化するように、ＭＢＳＦＮエリアの送信パラメータを制御する。すなわち、ＭＢＳＦＮエリアの送信パラメータの決定基準は、ＭＢＳＦＮの品質の要求条件を満たしつつ、ＭＢＳＦＮエリアのＰＴＰ（ポイントツーポイント）・システムスループットを大きくあるいは最大化することである。
【００４４】
次に、本発明について図面を参照して詳細に説明する。以下では、適用対象の１つである３ＧＰＰ  ＬＴＥ（Ｌｏｎｇ  Ｔｅｒｍ  Ｅｖｏｌｕｔｉｏｎ）の例を用い、通信状況情報としてＭＢＳＦＮ関連情報、通信制御情報として少なくとも送信パラメータを用いた例に即して説明する。なお、３ＧＰＰ  ＬＴＥでは、ＭＢＳＦＮとＵｎｉｃａｓｔは時間多重（Ｔｉｍｅ  Ｄｉｖｉｓｉｏｎ  Ｍｕｌｔｉｐｌｅｘ）されるが、周波数多重はされない。また、ＭＢＳＦＮが行われる無線リソースの情報（通信制御情報の送信パラメータ）は、ＭＳＡＰ（ＭＣＨ  Ｓｕｂｆｒａｍｅ  Ａｌｌｏｃａｔｉｏｎ  Ｐａｔｔｅｒｎ）として基地局から端末に通知される。ＭＳＡＰは、サブフレーム単位のマイクロレベル情報とフレーム単位のマクロレベル情報を含んでいる。従って、以下の実施例における、ＭＢＳＦＮサブフレーム数や位置、ＭＢＳＦＮフレームの位置や周期は、ＭＳＡＰに含まれる。【００４５】
なお、ＬＴＥでは、本発明における制御対象である各情報をそれぞれ以下のように定義している。【００４６】
例えば、ＭＢＳＦＮに使用可能な（予約された）サブフレームの情報を「ｍｂｓｆｎ−ＳｕｂｆｒａｍｅＣｏｎｆｉｇｕｒａｔｉｏｎ」（ｍｂｓｆｎ−サブフレームコンフィギュレーション）、
ＭＢＳＦＮのフレームの情報（フレーム番号、フレーム周期など）を「ｒａｄｉｏＦｒａｍｅＡｌｌｏｃａｔｉｏｎ」（無線フレーム割当て）、
ＭＢＳＦＮサブフレーム数の情報を「ｓｕｂｆｒａｍｅＡｌｌｏｃａｔｉｏｎ」（サブフレーム割当て）とそれぞれ定義している。【００４７】
また、１つのＭＢＳＦＮエリアは、例えば、
ＭＢＳＦＮを行うＭＢＳＦＮサービスセルのみで構成されるか、又は、
ＭＢＳＦＮを行うＭＢＳＦＮサービスセルと、Ｕｎｉｃａｓｔあるいはシングルセル・マルチキャストを行うＲｅｓｅｒｖｅｄセルとから構成される。【００４８】
なお、本願の請求範囲及び明細書等において、ＭＢＳＦＮを行わない無線局（基地局）とは、該無線局（基地局）がＭＢＳＦＮを行う機能を備えているかどうかに関わらず、ＭＢＳＦＮによる通信を実行しない無線局（基地局）を意味している。従って、以下の実施例において、ＭＢＳＦＮを行わないＲｅｓｅｒｖｅｄセルを管理する基地局が、実際にＭＢＳＦＮ機能を備えていてもよいし、備えていなくてもよい。【００４９】
Ｒｅｓｅｒｖｅｄセルでは、ＭＢＳＦＮサブフレームの送信時刻においては、ＭＢＳＦＮサービスセルへの干渉を低減し、ＭＢＳＦＮの品質を向上させることを目的として、基地局（ｅＮｏｄｅＢ：「ｅＮＢ」という）は、送信電力を抑えて、端末（Ｕｓｅｒ  Ｅｑｕｉｐｐｍｅｎｔ：「ＵＥ」という）にＵｎｉｃａｓｔ送信するかＵｎｉｃａｓｔ送信を全く行わない、あるいはシングルセル・マルチキャスト送信を行う。なお、特に制限されないが、以下の実施例では、例えばＭＢＳＦＮの初期設定時に、既にセルタイプ（セルが、ＭＢＳＦＮサービスセルであるか、Ｒｅｓｅｒｖｅｄセルであるか）が、ＭＣＥからｅＮＢへ通知されているものとする。また、セルタイプの通知は、当該セルタイプに変更が生じた場合、又は、一定周期で再びｅＮＢへ通知される。通知の形態としては後述する送信パラメータと一緒に通知してもよいし、別々に通知してもよい。以下の実施例における説明では、このセルタイプの通知処理の説明は省略する。【００５０】
図１は、本発明におけるＭＢＳＦＮを行う無線通信ネットワーク側の構成要素を示す図である。図１において、
ｅＢＭＳＣ  （ｅｎｈａｎｃｅｄ  Ｂｒｏａｄｃａｓｔ  Ｍｕｌｔｉｃａｓｔ  Ｓｅｒｖｉｃｅ  Ｃｅｎｔｒｅ）１０１は、
（Ａ）Ｅ−ＭＢＭＳ  ＧＷ（ゲートウエイ）１０２を介して、ＭＢＭＳセッション制御信号やＭＢＭＳトラフィック情報等のＭＢＭＳ制御情報を、ＭＣＥ（Ｍｕｌｔｉ−Ｃｅｌｌ／ｍｕｌｔｉｃａｓｔ  Ｃｏｏｒｄｉｎａｔｉｏｎ  Ｅｎｔｉｔｙ）１０３へ通知し、
（Ｂ）ＭＢＳＦＮで端末（ＵＥ）へ送信するＭＢＭＳデータを基地局（ｅＮＢ）１０４へ通知する。【００５１】
ＭＣＥ１０３は、ＭＢＳＦＮを用いた複数セルへのＭＢＭＳ送信を行うＭＢＳＦＮエリア内の基地局（ｅＮＢ）の時間及び周波数の無線リソースの割り当てを行うとともに、例えば変調・符号化方式等の無線コンフィギュレーションの詳細を決定する。ＭＣＥ１０３はＭＢＭＳセッションコントロールシグナリング処理を行うが、ＵＥ−ＭＣＥシグナリングは行わない。なお、ＭＣＥ１０３は、論理的実体（ｌｏｇｉｃａｌ  ｅｎｔｉｔｙ）であり、独立な装置ではなく他のネットワーク要素の部品であってもよい。【００５２】
より詳細には、ＭＣＥ１０３は、
（Ａ）Ｅ−ＭＢＭＳ  ＧＷ１０２を介してｅＢＭＳＣ１０１から通知されたＭＢＭＳ制御情報と、ｅＮＢ１０４から通知されるＭＢＳＦＮ関連情報とを基に、ＭＢＳＦＮ構成情報を生成して、Ｅ−ＭＢＭＳ  ＧＷ１０２を介してｅＢＭＳＣ１０１へ通知する。また、ＭＣＥ１０３は、
（Ｂ）ＭＢＳＦＮ制御情報を生成してｅＮＢ１０４へ通知する。【００５３】
ここで、ＭＣＥ１０３がｅＮＢ１０４から通知されるＭＢＳＦＮ関連情報としては、
（１）ＭＢＳＦＮエリアの構成要素である、
・ＭＢＳＦＮを行う基地局が管理するセルの数、
・ＭＢＳＦＮを行う基地局が管理するセルの大きさ（半径）、
・ユニキャストあるいはシングルセル・マルチキャストを行う基地局が管理するセルの数、
・ユニキャストあるいはシングルセル・マルチキャストを行う基地局が管理するセルの大きさ（半径）、
と、
（２）ＭＢＳＦＮエリアのマルチキャスト関連情報である、
・ＭＢＳＦＮを受信しているＵＥ数あるいはそれを推定できる情報、
・ＭＢＳＦＮの受信を希望しているＵＥ数あるいはそれを推定できる情報、
・実行中のＭＢＳＦＮの品質（誤り率）あるいはそれを推定できる情報、
・ＭＢＳＦＮを受信しているＵＥ数とユニキャストを受信しているＵＥ数の比、
と、
（３）ユニキャスト関連情報である、
・ユニキャストのＰＴＰトラフィック量、
・ユニキャストを受信しているＵＥ数、
・ユニキャストを受信する可能性のあるアクティブ状態のＵＥ数、
・ＶｏＩＰ（Ｖｏｉｃｅ  ｏｖｅｒ  Ｉｎｔｅｒｎｅｔ  Ｐｒｏｔｏｃｏｌ）を行っているＵＥ数、
等がある。【００５４】
なお、上記（１）〜（３）は常に同時に通知される必要はなく、例えば（１）のような長期間あるいは半永久的に不変である情報は一度通知されたら、変更が生じた場合に再度通知されれば十分である。【００５５】
また、ＭＣＥ１０３が生成するＭＢＳＦＮ構成情報としては、
・どのｅＮＢがＭＢＳＦＮを行うか、
・複数のＭＢＳＦＮによるサービスの候補がある場合には、どのサービスをどの順序で行うか、
等がある。【００５６】
ＭＣＥ１０３からｅＮＢ１０４に通知するＭＢＳＦＮ制御情報としては、
・ＭＢＳＦＮのＭＣＳ、
・ＭＢＳＦＮサブフレーム数、
・ＭＢＳＦＮサブフレーム位置、
・ＭＢＳＦＮフレーム位置、
・ＭＢＳＦＮフレーム周期、
・ＭＢＳＦＮのリファレンスシグナル（Ｒｅｆｅｒｅｎｃｅ  ｓｉｇｎａｌ）、
・ＭＢＳＦＮのスクランブリングコード（Ｓｃｒａｍｂｌｉｎｇ  ｃｏｄｅ）、
・Ｒｅｓｅｒｖｅｄセルの送信電力又は送信電力の上限値、
・Ｒｅｓｅｒｖｅｄセルの周波数利用率、
・Ｒｅｓｅｒｖｅｄセルの周波数帯域、
等がある。【００５７】
Ｅ−ＭＢＭＳ  ＧＷ（ゲートウエイ）１０２は、ＳＹＮＣプロトコル（無線フレームを生成するために使用されるデータを同期するプロトコル）付ＭＢＭＳパケットを、ＭＢＳＦＮ送信をするｅＮＢに送信／報知する。ＭＢＭＳ  ＧＷ１０２は、ユーザプレーンのＰＤＣＰ（Ｐａｃｋｅｔ  Ｄａｔａ  Ｃｏｎｖｅｒｇｅｎｃｅ  Ｐｒｏｔｏｃｏｌ）層をホストし、ＩＰマルチキャストを用いてＭＢＭＳユーザデータをｅＮＢに転送する。ＭＢＭＳ  ＧＷ１０２は、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）に向けＭＢＭＳセッションコントロールシグナリング（セッション開始停止）を行う。なお、Ｅ−ＭＢＭＳ  ＧＷ１０２は、論理的実体であり、他のネットワーク要素の部品であってもよい。【００５８】
Ｍ３インタフェース（ＭＣＥ−ＭＢＭＳ  ＧＷ間）は、Ｅ−ＵＴＲＡＮとＥＰＣ（Ｅｖｏｌｖｅｄ  Ｐａｃｋｅｔ  Ｃｏｒｅ）間のコントロールプレーンインタフェースであり、アプリケーションとして、ＥＰＳベアラレベルでのＭＢＭＳセッションコントロールシグナリングが行われる（無線コンフィギュレーションデータは伝達されない）。ＭＢＭＳセッションコントロールシグナリングはＭＢＭＳセッション開始／停止を含む。ＳＣＴＰ（Ｓｔｒｅａｍ  Ｃｏｎｔｒｏｌ  Ｔｒａｎｓｍｉｓｓｉｏｎ  Ｐｒｏｔｏｃｏｌ）がシグナリング転送として用いられる（ＰＴＰシグナリング）。【００５９】
Ｍ２インタフェース（ＭＣＥ−ｅＮＢ間）は、Ｅ−ＵＴＲＡＮ内部のコントロールプレーンインタフェースであり、アプリケーションとして、マルチセル送信モードのｅＮＢ、ＭＢＳＦＮエリアのＲｅｓｅｒｖｅｄセル（もしあれば）を構成する単一セル送信モードのｅＮＢの無線コンフィギュレーションデータと、セッションコンロールシングナリングを伝達する。ＳＣＴＰ（Ｓｔｒｅａｍ  Ｃｏｎｔｒｏｌ  Ｔｒａｎｓｍｉｓｓｉｏｎ  Ｐｒｏｔｏｃｏｌ）がシグナリング転送として用いられる（ＰＴＰシグナリング）。【００６０】
Ｍ１インファフェース（ＭＢＭＳ  ＧＷ−ｅＮＢ間）は、ユーザプレーンインタフェースであり、コントロールプレーンアプリケーションは定義されていない。単一セル、マルチセル送信のユーザパケットのポイント・ツー・マルチポイント送信にＩＰ  ｍｕｌｔｉｃａｓｔが用いられる。【００６１】
マルチセル送信では、ＭＣＥ１０３は、同一ＭＢＳＦＮエリア内のすべて、あるいは一部の複数のｅＮＢからマルチキャスト（ｍｕｌｔｉｃａｓｔ）関連情報及び／又はユニキャスト（ｕｎｉｃａｓｔ）関連情報を収集する。【００６２】
ｍｕｌｔｉｃａｓｔ関連情報は、例えば
・コンテンツごとＭＢＭＳ／ＭＢＳＦＮの受信／要求（受信希望）を行うＵＥの数、
・ＭＢＭＳ／ＭＢＳＦＮのエラーレート（誤り率）
を含む。【００６３】
ｕｎｉｃａｓｔ関連情報は、例えば
・アクティブ状態つまりＲＲＣ＿ＣＯＮＥＮＣＴＥＤ状態（無線リンク確立状態）のＵＥの数、
・ＶｏＩＰ（Ｖｏｉｃｅ  ｏｖｅｒ  ＩＰ）のＵＥの数、
・ＰＴＰトラフィック量
を含む。【００６４】
ｍｕｌｔｉｃａｓｔを受けるＵＥの数とｕｎｉｃａｓｔを受けるＵＥの数の比が、ｍｕｌｔｉｃａｓｔ及びｕｎｉｃａｓｔ関連情報である。【００６５】
なお、ＭＣＥ１０３がｍｕｌｔｉｃａｓｔを受けるＵＥの数とｕｎｉｃａｓｔを受けるＵＥの数の比を収集するのではなく、ｍｕｌｔｉｃａｓｔを受けるＵＥの数とｕｎｉｃａｓｔを受けるＵＥの数を収集し、比を計算するという形態でもよい。【００６６】
ＭＣＥは前述したように、ＭＢＳＦＮエリア内のＭＢＳＦＮ送信あるいはＵｎｉｃａｓｔ送信の送信パラメータを決定する。ＭＢＳＦＮの送信パラメータとして、例えば、
・ＭＢＳＦＮサブフレーム数、
・マイクロ／マクロレベルの割当を示すＭＳＡＰ（Ｍｕｌｔｉｃａｓｔ  ｃｈａｎｎｅｌ  Ｓｕｂｆｒａｍｅ  Ａｌｌｏｃａｔｉｏｎ  Ｐａｔｔｅｒｎ）、
・ＭＣＳ、
・ＭＢＳＦＮ送信の送信電力又は送信電力の上限値、
などを含み、Ｕｎｉｃａｓｔ送信パラメータとして、例えば、ＭＢＳＦＮエリアのＲｅｓｅｒｖｅｄセルのＭＢＳＦＮサブフレームにおける
・送信電力又は送信電力の上限値、
・利用可能周波数帯域
などを含む。【００６７】
図２は、図１の実施例における制御手順を示すシーケンス図である。ＭＢＳＦＮサービスセルを構成している基地局ｅＮＢ１〜ｅＮＢｎは、予め仕様に規定された情報、あるいはＭＣＥから指定された情報を収集（Ｍｅａｓｕｒｅｍｅｎｔ）し、その結果を、ＭＣＥへ通知する（図２の「ｅＮＢ  Ｍｅａｓｕｒｅｍｅｎｔ  Ｒｅｐｏｒｔ」：基地局測定報告）。【００６８】
ＭＣＥは、基地局ｅＮＢ１〜ｅＮＢｎからの測定報告（ｅＮＢ  Ｍｅａｓｕｒｅｍｅｎｔ  Ｒｅｐｏｒｔ）に基づき、ＭＢＳＦＮエリアのＭＢＳＦＮ（あるいはＭＢＳＦＮとＵｎｉｃａｓｔ）の送信パラメータを再設定する必要があるかどうかを判定する（図２の「Ｒｅｃｏｎｆｉｇｕｒａｔｉｏｎ  ｄｅｃｉｓｉｏｎ」：再設定決定）。【００６９】
ＭＣＥにおいてＭＢＳＦＮの送信パラメータの再設定が必要と判定した場合、ＭＣＥは実際にＭＢＳＦＮの送信パラメータを再設定し（図２の「ＭＢＳＦＮ  ｓｅｔｔｉｎｇ  ｕｐｄａｔｅ」：ＭＢＳＦＮ設定更新）、Ｅ−ＭＢＭＳ  ＧＷを介して、ｅＢＭＳＣへ再設定要求を行う（図２の「Ｒｅｃｏｎｆｉｇｕｒａｔｉｏｎ  Ｒｅｑｕｅｓｔ」：再設定要求）。【００７０】
再設定要求（Ｒｅｃｏｎｆｉｇｕｒａｔｉｏｎ  Ｒｅｑｕｅｓｔ）を受けたｅＢＭＳＣは、ＭＢＳＦＮ開始時におけるＭＢＳＦＮ送信パラメータの設定手順と同様の手順で、再設定を行う（図２の「ＭＢＳＦＮ  ｒｅｃｏｎｆｉｇｕｒａｔｉｏｎ」）。なお、再設定は絶対値による設定に限定されたものではなく、差分や比などの相対値を用いて設定してもよい。【００７１】
なお、ｅＮＢ測定報告（ｅＮＢ  Ｍｅａｓｕｒｅｍｅｎｔ  Ｒｅｐｏｒｔ）の情報としては、図２に示すように、例えば、
・ＵｎｉｃａｓｔのＰＴＰトラッフィック量（ｖｏｌｕｍｅ  ｏｆ  ＰＴＰ  ｔｒａｆｆｉｃ）、
・Ｕｎｉｃａｓｔを行うアクティブＵＥ数（Ｎｕｍｂｅｒ  ｏｆ  Ａｃｔｉｖｅ  ＵＥｓ）、
・ＶｏＩＰ  ＵＥ数（Ｎｕｍｂｅｒ  ｏｆ  ＶｏＩＰ  ＵＥｓ）、
・ＭＢＳＦＮ受信ＵＥ数（Ｎｕｍｂｅｒ  ｏｆ  ＵＥｓ  ｒｅｃｅｉｖｉｎｇ  ＭＢＳＦＮ）、
・ＭＢＳＦＮ受信希望ＵＥ数（Ｎｕｍｂｅｒ  ｏｆ  ＵＥｓ  ｒｅｑｕｅｓｔｉｎｇ  ＭＢＳＦＮ）、
・ＭＢＳＦＮの品質（誤り率等）（Ｅｒｒｏｒ  ｒａｔｅ  ｏｆ  ＭＢＳＦＮ  ｓｅｒｖｉｃｅ）
等があげられる。ただし、これらに限定されるものではないことは勿論である。【００７２】
図３は、ＭＢＳＦＮを行う無線通信ネットワーク側の構成要素を示す別の図である。基本構成は、図１の構成と同じだが、ｅＮＢをＲｅｓｅｒｖｅｄセルを管理するｅＮＢ１０５と、ＭＢＳＦＮサービスセル（ＭＢＳＦＮ  ｓｅｒｖｉｃｅ  ｃｅｌｌ）を管理するｅＮＢ１０６とを区別して示した図である。図４は、図３の構成における制御手順を示すシーケンス図である。【００７３】
ＭＢＳＦＮサービスセルを構成している基地局ｅＮＢ１〜ｅＮＢｍ、及びＲｅｓｅｒｖｅｄセルを構成している基地局ｅＮＢｍ＋１〜ｅＮＢｎは、それぞれ予め仕様に規定された情報あるいはＭＣＥから指定された情報を収集（Ｍｅａｓｕｒｅｍｅｎｔ）し、その結果をＭＣＥへ通知する（図４の「ｅＮＢ  Ｍｅａｓｕｒｅｍｅｎｔ  Ｒｅｐｏｒｔ」）。【００７４】
ＭＣＥは、ｅＮＢ測定報告（ｅＮＢ  Ｍｅａｓｕｒｅｍｅｎｔ  Ｒｅｐｏｒｔ）に基づき、ＭＢＳＦＮの送信パラメータを再設定する必要があるかどうかを判定する（図４の「Ｒｅｃｏｎｆｉｇｕｒａｔｉｏｎ  ｄｅｃｉｓｉｏｎ」）。【００７５】
ＭＣＥにおいて、ＭＢＳＦＮエリアの送信パラメータの再設定が必要と判定した場合、ＭＣＥは、実際にＭＢＳＦＮエリアの送信パラメータを再設定し、Ｅ−ＭＢＭＳ  ＧＷを介してｅＢＭＳＣへ再設定要求を行う（図４ｎ「Ｒｅｃｏｎｆｉｇｕｒａｔｉｏｎ  Ｒｅｑｕｅｓｔ」）。【００７６】
再設定要求（Ｒｅｃｏｎｆｉｇｕｒａｔｉｏｎ  Ｒｅｑｕｅｓｔ）を受けたｅＢＭＳＣは、ＭＢＳＦＮ開始時におけるＭＢＳＦＮ送信パラメータの設定手順と同様の手順で再設定を行う。【００７７】
なお、ＭＢＳＦＮサービスセルを構成するｅＮＢ１〜ｅＮＢｍが通知するｅＮＢ測定報告（ｅＮＢ  Ｍｅａｓｕｒｅｍｅｎｔ  Ｒｅｐｏｒｔ）の情報としては、図４に示すように、例えば、
・ＵｎｉｃａｓｔのＰＴＰトラッフィック量（ｖｏｌｕｍｅ  ｏｆ  ＰＴＰ  ｔｒａｆｉｃｃ）、
・Ｕｎｉｃａｓｔを行うアクティブＵＥ数（Ｎｕｍｂｅｒ  ｏｆ  Ａｃｔｉｖｅ  ＵＥｓ）、
・ＶｏＩＰ  ＵＥ数（Ｎｕｍｂｅｒ  ｏｆ  ＶｏＩＰ  ＵＥｓ）、
・ＭＢＳＦＮ受信ＵＥ数（Ｎｕｍｂｅｒ  ｏｆ  ＵＥｓ  ｒｅｃｅｉｖｉｎｇ  ＭＢＳＦＮ）（又はＭＣＥ側で該ＵＥ数を推定できる情報）、
・ＭＢＳＦＮ受信希望ＵＥ数（Ｎｕｍｂｅｒ  ｏｆ  ＵＥｓ  ｒｅｑｕｅｓｔｉｎｇ  ＭＢＳＦＮ）（又はＭＣＥ側で該ＵＥ数を推定できる情報）誤り率等）（Ｅｒｒｏｒ  ｒａｔｅ  ｏｆ  ＭＢＳＦＮ  ｓｅｒｖｉｃｅ）
等が含まれる。【００７８】
一方、Ｒｅｓｅｒｖｅｄセルを構成するｅＮＢｍ＋１〜ｅＮＢｎが通知するｅＮＢ  Ｍｅａｓｕｒｅｍｅｎｔ  Ｒｅｐｏｒｔの情報としては、例えば、
・ＵｎｉｃａｓｔのＰＴＰトラッフィック量（ｖｏｌｕｍｅ  ｏｆ  ＰＴＰ  ｔｒａｆｉｃｃ）、
・Ｕｎｉｃａｓｔを行うアクティブＵＥ数（Ｎｕｍｂｅｒ  ｏｆ  Ａｃｔｉｖｅ  ＵＥｓ）、
・ＶｏＩＰ  ＵＥ数（Ｎｕｍｂｅｒ  ｏｆ  ＶｏＩＰ  ＵＥｓ）
等が含まれる。ただし、これらに限定されるものではないことは勿論である。【００７９】
図５は、ＭＣＥがｅＮＢの機能ブロックの１つである場合の構成を示す図である。前述したように、ＭＣＥは論理的実体であり、単独装置として配設される代わりに、他のネットワーク要素の一部であってもよい。この例では、ＭＣＥをｅＮＢに実装したものであり、ＭＣＥ  １０７がｅＮＢ１０８、１０９にそれぞれ収容されている。図５の構成の場合、各ｅＮＢ内に設けられたＭＣＥ間で情報を交換し制御する機能が、Ｅ−ＭＢＭＳ  ＧＷに必要とされる。図５において、ｅＮＢ１０８はＲｅｓｅｒｖｅｄセルを管理する基地局、ｅＮＢ１０９はＭＢＳＦＮサービスセルを管理する基地局である。【００８０】
以下、図３の構成を基に、３ＧＰＰ  ＬＴＥを想定して、動作の詳細について説明する。図６、図７は、本実施例におけるＭＢＳＦＮエリアの送信パラメータの制御の基本的コンセプトを説明するための図である。【００８１】
ここで、ＭＢＳＦＮエリアはＭＢＳＦＮサービスセルのみからなる（Ｒｅｓｅｒｖｅｄセル無し）とし、制御する送信パラメータとしては、
・ＭＢＳＦＮサブフレーム数、
・ＭＢＳＦＮのＭＣＳ
とする。【００８２】
まず、ＭＢＳＦＮエリア内にあるセル毎にＰＴＰトラフィック量を測定し、図７（Ａ）、（Ｂ）に示すように、
・平均値、あるいは、
・最大値（または最小値）
を代表値として算出する。【００８３】
このＰＴＰトラフィック量の代表値を用い、ＰＴＰトラフィック量がＭＢＳＦＮ送信開始時（あるいは直前の制御をした時刻）と比較して増加していた場合には、図６に示すように、
Ａｌｔ．１）  ＭＢＳＦＮサブフレーム数を減少させ、ＭＢＳＦＮ  ＭＣＳを高くする、あるいは、
Ａｌｔ．２）  ＭＢＳＦＮサブフレーム数を減少させるが、ＭＢＳＦＮ  ＭＣＳは変更しないという処理を行う。【００８４】
Ａｌｔ．１は、ＭＢＳＦＮサービスレート（ＭＢＳＦＮ  ｓｅｒｖｉｃｅ  ｒａｔｅ）を一定に保つように制御することを意図しており、この場合には、ＰＴＰ用リソース（ＰＴＰ  ｃａｐａｃｉｔｙ）は増加するが、ＭＢＳＦＮカバレッジ（ＭＢＳＦＮ  ｃｏｖｅｒａｇｅ）は縮小する。【００８５】
一方、Ａｌｔ．２は、ＭＢＳＦＮカバレッジを一定に保つように制御することを意図しており、ＰＴＰ用リソース（ＰＴＰ  ｃａｐａｃｉｔｙ）は増加するが、ＭＢＳＦＮサービスレートが減少する。【００８６】
このように、ＭＢＳＦＮサービスレート（サービス品質）とカバレッジには、トレードオフの関係があり、どちらを優先して制御するかに依存する。【００８７】
また、反対に、ＰＴＰトラフィック量がＭＢＳＦＮ送信開始時（あるいは直前の制御をした時刻）と比較してＰＴＰトラフィック量が減少していた場合には、
Ａｌｔ．３）  ＭＢＳＦＮサブフレーム数を増加させて、ＭＢＳＦＮ  ＭＣＳを低くする、あるいは
Ａｌｔ．４）  ＭＢＳＦＮサブフレーム数を増加させるが、ＭＢＳＦＮ  ＭＣＳは変更しないという処理を行う。【００８８】
Ａｌｔ．３は、ＭＢＳＦＮサービスレートは一定に保ったままで、ＭＢＳＦＮカバレッジを増大することを意図している。【００８９】
Ａｌｔ．４は、ＭＢＳＦＮカバレッジは一定に保ったままで、ＭＢＳＦＮサービスレートを増加することを意図している。【００９０】
前述のように、ＭＢＳＦＮサービスレートとＭＢＳＦＮカバレッジのどちらを優先するかよって、Ａｌｔ．３とＡｌｔ．４のどちらを選択するかを決定する。【００９１】
なお、ＰＴＰトラフィック量がＭＢＳＦＮ送信開始時（あるいは直前の制御をした時刻）と比較してＰＴＰトラフィック量が増加、減少時の制御の組み合わせとして、図６のＡｌｔ．１とＡｌｔ．２の任意の一方と、Ａｌｔ．３とＡｌｔ．４の任意の一方を組み合わせてもよい。【００９２】
図８から図１０は、図６を参照して説明した本実施例のコンセプトを基にした制御を説明するための図である。ＭＢＳＦＮエリアがＭＢＳＦＮサービスセルのみから構成されるものとする。【００９３】
図８に示すように、複数のＭＢＳＦＮサービスセルから構成されるＭＢＳＦＮエリアがあり、その周辺にＵｎｉｃａｓｔセルが隣接しているものとする。【００９４】
ただし、これらのセルは実際には、図２４に示すように、２次元で配置されたセル群であるが、図８は、その一部を（１次元で）切り取って図示したものである。ここでは、ＭＢＳＦＮエリアが固定的であるとし、
ｅＮＢＡ１〜Ａ５が、ＭＢＳＦＮエリアに属してＭＢＳＦＮを行うＭＢＳＦＮサービスセルを管理する基地局であり、
ｅＮＢＣ１、Ｃ２は、ＭＢＳＦＮエリアに属さないＵｎｉｃａｓｔのみの基地局とする。【００９５】
この場合、ｅＮＢＡ１〜Ａ５がＭＣＥと情報のやり取りを行い、ｅＢＭＳＣからＥ−ＭＢＭＳ  ＧＷを介して、ＭＢＭＳ  ｄａｔａを受信して端末（ＵＥ）へ送信する。【００９６】
一方、ｅＮＢＣ１、Ｃ２の動作は、本発明を用いるＭＢＳＦＮエリアの基地局とは独立であるため、説明は省略する。【００９７】
まず、図９に示すように、ある時刻ｔ＝ｔ０でＰＴＰトラフィック量の増加を検出したとする。なお、図９（ｂ）、（ｃ）は、時刻ｔ＝ｔ０、ｔ１における、図８の各セルでのＭＢＳＦＮサービスレート（ＭＢＳＦＮ  ｓｅｒｖｉｃｅ  ｒａｔｅ）と受信品質（Ｒｘ  ｑｕａｌｉｔｙ）を示している。【００９８】
ここでは、図６のＡｌｔ．１の方法を用い、ＭＢＳＦＮサービスレートを一定に保つように、ＭＢＳＦＮサブフレーム数を減らし、ＭＢＳＦＮ  ＭＣＳを高くする。【００９９】
これにより、時刻ｔ＝ｔ１において、ＭＢＳＦＮサービスレートは保たれるが、ＭＢＳＦＮの受信特性が劣化することが分かる（図９（ｃ）の下向き矢印参照）。ただし、ＰＴＰ用リソースは増加する。【０１００】
一方、図１０では、図６のＡｌｔ．２の方法を用い、ＭＢＳＦＮカバレッジが変わらないようにするために、受信特性を一定に保つように、ＭＢＳＦＮサブフレーム数のみを減らす。なお、図１０（ｂ）、（ｃ）は、時刻ｔ＝ｔ０、ｔ１における、図８の各セルでのＭＢＳＦＮサービスレート（ＭＢＳＦＮ  ｓｅｒｖｉｃｅ  ｒａｔｅ）と受信品質（Ｒｘ  ｑｕａｌｉｔｙ）を示している。【０１０１】
これにより、時刻ｔ＝ｔ１において、ＭＢＳＦＮ受信特性は保たれるが、ＭＢＳＦＮサービスレートが減少することが分かる（図９（ｃ）のＭＢＳＦＮ  ｓｅｒｖｉｃｅ  ｒａｔｅの下向き矢印参照）。【０１０２】
図１１、図１２は、図６を参照して説明した本実施例のコンセプトを基にした制御を説明する別の図であり、ＭＢＳＦＮエリアがＭＢＳＦＮサービスセルとＲｅｓｅｒｖｅｄセルから構成されるものとする。なお、図１２（ｂ）〜（ｅ）は、時刻ｔ＝ｔ０〜ｔ３における、図１１の各セルでの受信品質（Ｒｘ  ｑｕａｌｉｔｙ）を示している。図１２（ｆ）〜（ｉ）は、図１２（ｂ）〜（ｅ）の時刻ｔ＝ｔ０〜ｔ３におけるＭＣＥによる制御を示している。【０１０３】
図１１に示すように、ＭＢＳＦＮサービスセルとＲｅｓｅｒｖｅｄセルから構成されるＭＢＳＦＮエリアがあり、その周辺にＵｎｉｃａｓｔセルが隣接しているものとする。【０１０４】
ここでは、ＭＢＳＦＮエリアが固定的であるとし、
ｅＮＢＡ１〜Ａ３及びｅＮＢＢ１、Ｂ２がＭＢＳＦＮエリアに属する基地局であり、
ｅＮＢＣ１、Ｃ２は、ＭＢＳＦＮエリアに属さないＵｎｉｃａｓｔのみの基地局とし、
ＭＢＳＦＮエリアに属する基地局のうち、
ｅＮＢＡ１〜Ａ３をＭＢＳＦＮサービスセルを管理する基地局とし、
ｅＮＢＢ１、Ｂ２をＲｅｓｅｒｖｅｄセルを管理する基地局とする。【０１０５】
この場合、ｅＮＢＡ１〜Ａ３及びｅＮＢＢ１、Ｂ２がＭＣＥと情報のやり取りを行い、ｅＮＢＡ１〜Ａ３が、Ｅ−ＭＢＭＳ  ＧＷからＭＢＭＳデータを受信して不図示の端末（ＵＥ）へ送信する。【０１０６】
一方、ＭＢＳＦＮエリアに属さないＵｎｉｃａｓｔのみを行う基地局ｅＮＢＣ１、Ｃ２の動作は、本発明を用いるＭＢＳＦＮエリアの基地局とは独立であるため、説明は省略する。【０１０７】
ＭＢＳＦＮエリアの送信パラメータの制御の方法としては、図６のＡｌｔ．１つまりＭＢＳＦＮサービスレートを一定に保つ方法を用いる。【０１０８】
図１２（ｂ）において、まず、時刻ｔ＝ｔ０でＲｅｓｅｒｖｅｄセルのＰＴＰトラフィック量の増加を検出したとする（図１２（ｆ）のステップ０）。【０１０９】
そのため、ＭＢＳＦＮｒａｔｅを一定に保つように、ＭＢＳＦＮサブフレーム数を減らし、ＭＢＳＦＮ  ＭＣＳを高くする（Ｓｔｅｐ１）。【０１１０】
すると、図１２（ｃ）において、時刻ｔ＝ｔ１に示すように、ＭＢＳＦＮの受信特性（Ｒｘ  ｑｕａｌｉｔｙ）が劣化する（図１２（ｇ）のＳｔｅｐ２）。【０１１１】
そこで、時刻ｔ＝ｔ２において（図１２（ｄ））、Ｒｅｓｅｒｖｅｄセルの送信電力を低減し、ＭＢＳＦＮ受信特性の改善を試みる（図１２（ｈ）のＳｔｅｐ３）。【０１１２】
その結果、時刻ｔ＝ｔ３において（図１２（ｅ））、Ｒｅｓｅｒｖｅｄセルの受信特性が劣化する代わりに、ＭＢＳＦＮの受信特性が改善する（図１２（ｉ）のＳｔｅｐ４）。【０１１３】
このように、ＭＢＳＦＮサービスセルの周辺にＲｅｓｅｒｖｅｄセルを配置し、Ｒｅｓｅｒｖｅｄセルの送信電力を低減することで、ＭＢＳＦＮサービスレートを保ちつつも、ＭＢＳＦＮ受信特性の大幅な劣化を防ぐことが期待できる。【０１１４】
以下、図１１に示す構成を基本として、実施例を詳しく説明する。なお、ＭＢＳＦＮの品質の要求条件としてＭＢＳＦＮサービスレートを（ほぼ）一定に保ちつつ、Ｏｕｔａｇｅのターゲット値を満たす方法を用いる。【０１１５】
＜実施例１＞
本発明における第１の実施例では、
・ＲｅｓｅｒｖｅｄセルのＰＴＰトラフィック量、
・ＭＢＳＦＮのＯｕｔａｇｅ確率のターゲット値
を基に、
ＭＢＳＦＮエリアのトータルシステムスループットを最大化するように、
・ＭＢＳＦＮサブフレーム数と、
・ＭＢＳＦＮのＭＣＳ、及び、
・ＭＢＳＦＮサブフレームのＲｅｓｅｒｖｅｄセルの送信電力又は送信電力の上限値
を設定する。【０１１６】
ここで、ＭＢＳＦＮのＯｕｔａｇｅ確率の例としては、所要誤り率（例えば１０％のＰＥＲ（Ｐａｃｋｅｔ  Ｅｒｒｏｒ  Ｒａｔｅ）やＢＬＥＲ（Ｂｌｏｃｋ  Ｅｒｒｏｒ  Ｒａｔｅ））を満たすＵＥが何％いるか等が考えられる。ターゲットとしては、例えばＯｕｔａｇｅ確率５％、つまり所要誤り率を満たすＵＥが９５％以上になること、等が考えられる。【０１１７】
また、本実施例ではＭＢＳＦＮサブフレームが毎フレームに含まれる場合を想定する。【０１１８】
これを実現するために、予め、
ＭＢＳＦＮのＯｕｔａｇｅ確率（％）と、
ＭＢＳＦＮのＭＣＳ、及び
Ｒｅｓｅｒｖｅｄセルの送信電力又は送信電力の上限値
の関係を示すテーブルを用意する。【０１１９】
なお、このテーブルで示される値は、ＭＢＳＦＮのサブフレーム数やＭＢＳＦＮエリアのセル半径に大きく依存するもので、予め計算機シミュレーション等を用いて評価した結果、あるいは実際の装置で取得した統計的データを用いる。【０１２０】
そして、以下の式（１）のように、ＭＢＳＦＮサービスセルとＲｅｓｅｒｖｅｄセルそれぞれのシステムスループットを合計してＭＢＳＦＮエリアのシステムスループットを算出する。【０１２１】
2010001928.tif 000003
・・・（１）【０１２２】
ここで、
Ｓは注目するＭＢＳＦＮエリア内にあるＭＢＳＦＮサービスセル数、
Ｒは注目するＭＢＳＦＮエリア内にあるＲｅｓｅｒｖｅｄセル数である。【０１２３】
また、「収容可能トラフィック」は、ＭＢＳＦＮサブフレーム数とＭＣＳ、およびＲｅｓｅｒｖｅｄセルの送信電力又は送信電力の上限値の関数である。なお、ＭＢＳＦＮサブフレームが、毎フレーム含まれない場合には、さらにＭＢＳＦＮフレーム周期も変数となる。【０１２４】
このＭＢＳＦＮエリアのトータルシステムスループットが最大となるときのＭＢＳＦＮサブフレーム数とＭＣＳ、及びＲｅｓｅｒｖｅｄセルの送信電力又は送信電力の上限値に設定する。【０１２５】
図１３は、第１の実施例における基地局（ｅＮＢ）の構成を示す図である。ここで、ｅＮＢ２０１は、ＭＢＳＦＮを行うものとする。図１３を参照すると、この基地局（ｅＮＢ）２０１は、ＭＢＳＦＮ制御部２０２と、ＭＢＳＦＮ信号送信部２０３と、Ｕｎｉｃａｓｔ信号制御部２０４と、Ｕｎｉｃａｓｔ信号送信部２０５と、Ｕｎｉｃａｓｔ信号受信部２０６と、Ｕｎｉｃａｓｔ信号復号部２０７と、ＭＢＳＦＮ関連情報生成部２０８とを備えている。【０１２６】
ＭＢＳＦＮ制御部２０２は、ＭＣＥからＭＢＳＦＮ制御情報を受信し、ＭＢＳＦＮ送信制御情報をＭＢＳＦＮ信号送信部２０３へ、ＭＢＳＦＮサブフレーム情報をＵｎｉｃａｓｔ信号制御部２０４へそれぞれ出力する。【０１２７】
ＭＢＳＦＮ信号送信部２０３は、ＭＢＳＦＮデータとＭＢＳＦＮ送信制御情報を基にＭＢＳＦＮ信号を生成して不図示の端末（ＵＥ）へ送信する。【０１２８】
Ｕｎｉｃａｓｔ信号制御部２０４は、ＤＬ（ダウンリンク）  Ｕｎｉｃａｓｔ情報と、ＭＢＳＦＮサブフレーム情報を基に、Ｕｎｉｃａｓｔ送信制御情報を、Ｕｎｉｃａｓｔ信号送信部２０５へ、Ｕｎｉｃａｓｔ送信情報をＭＢＳＦＮ関連情報生成部２０８へそれぞれ出力する。【０１２９】
Ｕｎｉｃａｓｔ信号送信部２０５は、ＤＬ  Ｕｎｉｃａｓｔ情報とＵｎｉｃａｓｔ送信制御情報を基に、ＤＬ  Ｕｎｉｃａｓｔ信号を生成してＵＥへ送信する。【０１３０】
一方、Ｕｎｉｃａｓｔ信号受信部２０６は、ＵＬ（アップリンク）  Ｕｎｉｃａｓｔ信号を受信し、Ｕｎｉｃａｓｔ信号復号部２０７へ出力する。【０１３１】
Ｕｎｉｃａｓｔ信号復号部２０７は、Ｕｎｉｃａｓｔ受信信号を復号し、ＵＬ  Ｕｎｉｃａｓｔ情報を、ＭＭＥ／Ｓ−ＧＷ（Ｍｏｂｉｌｅ  Ｍａｎａｇｅｍｅｎｔ  Ｅｎｔｉｔｙ／Ｓｅｒｖｉｎｇ  Ｇａｔｅｗａｙ）へ送信し、ＭＢＳＦＮフィードバック情報をＭＢＳＦＮ関連情報生成部２０８へ出力する。【０１３２】
ＭＢＳＦＮ関連情報生成部２０８は、Ｕｎｉｃａｓｔ送信情報と、ＭＢＳＦＮフィードバック情報を基に、ＭＢＳＦＮ関連情報を生成して、ＭＣＥへ送信する。なお、基地局における、ＭＢＳＦＮ制御部２０２と、ＭＢＳＦＮ信号送信部２０３と、Ｕｎｉｃａｓｔ信号制御部２０４と、Ｕｎｉｃａｓｔ信号送信部２０５と、Ｕｎｉｃａｓｔ信号受信部２０６と、Ｕｎｉｃａｓｔ信号復号部２０７と、ＭＢＳＦＮ関連情報生成部２０８は、基地局を構成するコンピュータ上で実行あれるプログラムによりその機能・処理を実現するようにしてもよい。【０１３３】
図１４は、図１３の基地局における処理を示すフローチャートである。図１４（ａ）は、基地局からＵＥへの送信フローを示している。【０１３４】
基地局のＵｎｉｃａｓｔ信号制御部２０４は、ＭＭＥ／Ｓ−ＧＷからＤＬ  Ｕｎｉｃａｓｔ情報を受信しているものとする。【０１３５】
まず、基地局（ｅＮＢ）のＭＢＳＦＮ制御部２０２は、ＭＣＥからＭＢＳＦＮ制御情報を受信しているかどうか、つまり、ＭＢＳＦＮエリアに属しているかどうかを判定する（Ｓ１０２）。ＭＢＳＦＮエリアに属していない場合には（Ｓ１０２のＮｏ）、通常通り、Ｕｎｉｃａｓｔ信号送信部２０５がＵｎｉｃａｓｔ送信のみを行う（Ｓ１０７）。【０１３６】
ＭＢＳＦＮ制御部２０２において、ＭＣＥからＭＢＳＦＮ制御情報を受信している場合（Ｓ１０２のＹｅｓ）、自分が管理するセルのタイプがＭＢＳＦＮサービスセルか、Ｒｅｓｅｒｖｅｄセルかを検知する（Ｓ１０３）。【０１３７】
ＭＢＳＦＮ制御部２０２において、ステップＳ１０３のセルタイプ検知の結果、Ｒｅｓｅｒｖｅｄセルである場合（Ｓ１０４のＮｏ）、基地局（ｅＮＢ）は、Ｕｎｉｃａｓｔ信号送信部２０５によりＵｎｉｃａｓｔ送信のみを行う（Ｓ１０７）。【０１３８】
ＭＢＳＦＮ制御部２０２において、ステップＳ１０３のセルタイプの検知の結果、ＭＢＳＦＮサービスセルの場合（Ｓ１０４のＹｅｓ）、ＭＢＳＦＮサブフレームである場合には（Ｓ１０５のＹｅｓ）、ＭＢＳＦＮ信号送信部２０３がＭＢＳＦＮを送信する（Ｓ１０６）。ＭＢＳＦＮサブフレーム以外の場合には、Ｕｎｉｃａｓｔ信号送信部２０５によりＵｎｉｃａｓｔ送信を行う（Ｓ１０７）。【０１３９】
一方、図１４（ｂ）は、基地局からＭＣＥへの送信フローを示している。【０１４０】
基地局（ｅＮＢ）のＵｎｉｃａｓｔ信号制御部２０４は、ＭＭＥ／Ｓ−ＧＷからＤＬ  Ｕｎｉｃａｓｔ情報を受信している（Ｓ１１０）。【０１４１】
基地局（ｅＮＢ）のＭＢＳＦＮ制御部２０２は、ＭＢＳＦＮエリアに属しているかどうかを判定し（Ｓ１１１）、ＭＢＳＦＮエリアに属していない場合には（Ｓ１１１のＮｏ）、Ｕｎｉｃａｓｔ信号送信部２０５により通常のＵｎｉｃａｓｔ送信のみを行う。【０１４２】
ＭＢＳＦＮエリアに属している場合、基地局（ｅＮＢ）のＭＢＳＦＮ制御部２０２は、ＭＣＥへＭＢＳＦＮ関連情報を通知するタイミング（時刻ｔ＝ｎ＊ＴＲｅｐｏｒｔ）、つまり、制御タイミングかどうかを判定する（Ｓ１１２）。【０１４３】
制御タイミングである場合（Ｓ１１２のＹｅｓ）、ＭＢＳＦＮ関連情報生成部２０８は、セル毎のＰＴＰトラフィック量を測定し（Ｓ１１３）、ＰＴＰトラフィック量を含むＭＢＳＦＮ関連情報を生成してＭＣＥへ通知する（Ｓ１１４）。【０１４４】
ＭＣＥでは、ＭＢＳＦＮ関連情報を基にＭＢＳＦＮエリアの送信パラメータを決定する。【０１４５】
図１５は、第１の実施例におけるＭＣＥの構成を示すブロック図である。ここで、ＭＣＥ  ２０９は、１つのＥ−ＭＢＭＳ  ＧＷおよび複数のｅＮＢと接続されているものとする。図１５を参照すると、ＭＣＥ２０９は、システムスループット推定値算出部２１０と、送信形態制御部２１１と、を備えている。【０１４６】
システムスループット推定値算出部２１０は、Ｅ−ＭＢＭＳ  ＧＷからのＭＢＭＳ制御情報と、複数のｅＮＢからのＭＢＳＦＮ関連情報を基に、上述の（１）式に示すように、システムスループットの推定値を算出し、
システムスループットとそのときのパラメータを、送信パラメータセット情報として、送信形態制御部２１１へ出力する。【０１４７】
送信形態制御部２１１は、
送信パラメータセット情報と、
ＭＢＳＦＮのＯｕｔａｇｅ確率（％）と、
ＭＢＳＦＮのＭＣＳ、及び、
Ｒｅｓｅｒｖｅｄセルの送信電力又は送信電力の上限値の関係を示すテーブル（不図示）を基に、
ＭＢＳＦＮ及びＵｎｉｃａｓｔの送信形態を決定し、
ＭＢＭＳ構成情報を、Ｅ−ＭＢＭＳ  ＧＷへ、ＭＢＳＦＮ制御情報をｅＮＢへそれぞれ送信する。なお、システムスループット推定値算出部２１０と、送信形態制御部２１１は、ＭＣＥ２０９を構成するコンピュータ上で実行されるプログラムによりその機能・処理を実現するようにしてもよい。【０１４８】
図１６は、図１５のＭＣＥにおける処理を示すフローチャートである。【０１４９】
ＭＣＥのシステムスループット推定値算出部２１０は、ＭＢＳＦＮエリアの送信パラメータのデフォルト設定を、基地局へ通知した後、基地局からＰＴＰトラフィック量等を含むＭＢＳＦＮ関連情報を報告されるのを待つ。【０１５０】
ＭＢＳＦＮ関連情報が報告されずに、制御タイミング、つまりＭＢＳＦＮエリア送信パラメータの更新時刻になった場合には（Ｓ２０４のＹｅｓ）、ＭＣＥの送信形態制御部２１１は、デフォルト設定（あるいは直前の設定）のまま、基地局へ通知する（Ｓ２０５）。【０１５１】
ＭＣＥのシステムスループット推定値算出部２１０は、基地局からＭＢＳＦＮ関連情報が報告された場合（Ｓ２０１のＹｅｓ）、ＭＢＳＦＮ関連情報に含まれるＰＴＰトラフィック量の情報と以前に報告されたＰＴＰトラフィッ量を基に単純移動平均あるいは加重移動平均を行い、時間平均値を算出する（Ｓ２０２）。【０１５２】
ＭＣＥのシステムスループット推定値算出部２１０は、ＰＴＰトラフィック量の時間平均値を基に、ＭＢＳＦＮエリアの送信パラメータを変数としてシステムスループットを算出し（Ｓ２０３）、ＭＢＳＦＮエリアのシステムスループットの合計が最大になる送信パラメータの組み合わせを決定する。【０１５３】
ＭＣＥの送信形態制御部２１１は、制御タイミングか否かを判定し（Ｓ２０４）、制御タイミングならば（Ｓ２０４のＹｅｓ）、決定したＭＢＳＦＮエリアの送信パラメータを、基地局へ通知する（Ｓ２０５）。【０１５４】
以下に、第１の実施例におけるＭＢＳＦＮ及びＵｎｉｃａｓｔの送信パラメータを決定する手順を説明する。【０１５５】
ここで、ｅＮＢＡ１〜Ａ３およびｅＮＢＢ１、Ｂ２が同じＭＢＳＦＮエリアに属しＭＣＥと情報を交換しており、ｅＮＢＡ１〜Ａ３がＵｎｉｃａｓｔとＭＢＳＦＮの両方を送信し、ｅＮＢＢ１、Ｂ２がＵｎｉｃａｓｔのみを送信するものとする。【０１５６】
ＭＣＥは、予め図１７に示すようなＭＢＳＦＮのＯｕｔａｇｅ確率（％）と、ＭＣＳ及びＲｅｓｅｒｖｅｄセルの送信電力又は送信電力の上限値の関係を算出したテーブルを用意する。このテーブルは、図１５のＭＣＥのシステムスループット推定値算出部２１０内の不図示メモリ（例えば書き換え可能な不揮発性メモリ）等に格納される。【０１５７】
ＭＢＳＦＮエリア内のｅＮＢは、それぞれ周期ＴＲｅｐｏｒｔ（＝Ｔ）でセル毎のＰＴＰトラフィック量を測定して、ＭＣＥへ通知する。【０１５８】
ＭＣＥのシステムスループット推定値算出部２１０は、
ＭＢＳＦＮサービスセルのｅＮＢからのＰＴＰトラッフィック量報告値、
ＲｅｓｅｒｖｅｄセルのｅＮＢからのＰＴＰトラフィック量報告値
をそれぞれ平均する。【０１５９】
そして、ＭＣＥの送信形態制御部２１１は、算出したＰＴＰトラフィック量の平均値を基に、周期Ｔｃｔｒｌ（例えば、Ｔｃｔｒｌ＝５＊ＴＲｅｐｏｒｔ＝５Ｔ）で、
ＭＢＳＦＮサブフレーム数、及び
ＭＢＳＦＮのＭＣＳ、
ＲｅｓｅｒｖｅｄセルのＭＢＳＦＮサブフレームにおける送信電力又は送信電力の上限値
を決定する。【０１６０】
本実施例のように、ＭＣＥにおける制御周期（Ｔｃｔｒｌ）が、ｅＮＢからの報告周期（ＴＲｅｐｏｒｔ）よりも長い場合には、
各時刻におけるｅＮＢからの報告値を、単に、時間平均する単純移動平均を行う方法と、
各時刻におけるｅＮＢからの報告値を重み付けを行う加重移動平均を行う方法
がある。以下では、これらを区別せずに単に時間平均として説明する。【０１６１】
ある時刻ｔにおいて、まず、ＭＣＥのシステムスループット推定値算出部２１０は、Ｅ−ＭＢＭＳ  ＧＷから通知されるＭＢＭＳ制御情報に含まれるＭＢＭＳの伝送レート（又は、それが推定されるサービスタイプの情報等）と、図１７のテーブルを基に、図１８に示すような、
ＭＢＳＦＮのＯｕｔａｇｅ確率（％）と、
ＭＣＳとサブフレーム数、および、
Ｒｅｓｅｒｖｅｄセルの送信電力又は送信電力の上限値の関係を示すテーブルを作成する。【０１６２】
今、ＭＢＳＦＮのＯｕｔａｇｅ確率のターゲット値が１０％であるとする。
このとき、図１８から、Ｏｕｔａｇｅ確率＝１０％を満たすＲｅｓｅｒｖｅｄセルのＭＢＳＦＮサブフレームにおける送信電力又は送信電力の上限値と、ＭＢＳＦＮ  ＭＣＳ、サブフレーム数の組み合わせの候補として、
（Ｒｅｓｅｒｖｅｄセル電力、ＭＢＳＦＮ  ＭＣＳ／＃ｏｆサブフレーム）＝（５０％、１／８）、（１０％、２／７）、（０％、１０／１）
の３つとなる。【０１６３】
ＭＣＥにおける制御周期が５Ｔであることから、時刻ｔ＝Ｔ０からｔ＝Ｔ４までの期間５Ｔの間のＰＴＰトラッフィックの時間平均値を基に、上記３つの組み合わせそれぞれの場合に得られるシステムスループットを、式（１）から求め、最大となる組み合わせを選択する。【０１６４】
今、システムスループットが、それぞれ、１８０Ｍｂｐｓ、２２０Ｍｂｐｓ、３４０Ｍｂｐｓであるとすると、ＭＣＥの送信形態制御部２１１において、
ＲｅｓｅｒｖｅｄセルのＭＢＳＦＮサブフレームにおける送信電力が最大電力の０％（つまり、ＲｅｓｅｒｖｅｄセルではＭＢＳＦＮサブフレームにＵｎｉｃａｓｔを送信しない）、
ＭＢＳＦＮ  ＭＣＳが１０、
ＭＢＳＦＮサブフレーム数が１
と決定される。【０１６５】
ＭＣＥの送信形態制御部２１１は、これら決定した送信パラメータを各ｅＮＢへ通知し、ｅＮＢはこれに従いＭＢＳＦＮ及びＵｎｉｃａｓｔを送信する。【０１６６】
同様に、ＰＴＰトラフィック量をある期間に観測した結果が、図１９（ａ）に示すようになったとすると、上記と同様の方法により決定したＭＢＳＦＮ及びＲｅｓｅｒｖｅｄセルのＵｎｉｃａｓｔ送信パラメータは、図１９（ｂ）のようになる。【０１６７】
図１９（ａ）から分かるように、時刻ｔ＝Ｔ１０において、ＰＴＰトラフィック量の時間平均が時刻ｔ＝Ｔ５よりもやや低下しているため、図１９（ｂ）に示すように、ＭＢＳＦＮサブフレーム数を増加する代わりに、ＭＢＳＦＮのＭＣＳを小さくし、Ｒｅｓｅｒｖｅｄセルの送信電力を増加している。【０１６８】
一方、時刻ｔ＝Ｔ１５において、ＰＴＰトラフィック量が急激に増加しているため、ＭＢＳＦＮサブフレーム数を大きく減らす代わりに、ＭＢＳＦＮのＭＣＳを高くし、それに伴い、Ｒｅｓｅｒｖｅｄセルの送信電力を非常に小さくしている。【０１６９】
このような適応制御により、時々刻々と変化するＰＴＰトラフィック量の状況に応じたＭＢＳＦＮエリアのＭＢＳＦＮ及びＵｎｉｃａｓｔの最適な送信形態をサポートすることができる。【０１７０】
なお、本実施例では、
ｅＮＢがＰＴＰトラフィック量をＭＣＥへ通知する周期Ｔｒｅｐｏｒｔと、
ＭＣＥがｅＮＢへ送信パラメータを通知する周期Ｔｃｔｒｌと、
をそれぞれ個別に設定したが、同じ周期としてもよい。【０１７１】
また、どちらか一方あるいは、両方を予め定義した条件になった場合に通知するトリガベースの方法で行ってもよい。【０１７２】
上記実施例では、ＭＢＳＦＮサービスセルまたはＲｅｓｅｒｖｅｄセルそれぞれに属するｅＮＢからのＰＴＰトラフィック量の報告値の平均値を用いたが、平均値の代わりに、
・各時刻における最も大きい値又は最も小さい値を代表値とする、あるいは、
・Ｍ個のｅＮＢから報告された値のうち中央のＮ個（Ｎ＜Ｍ）を平均した値としてもよい。【０１７３】
＜実施例２＞
本発明における第２の実施例では、
・ＲｅｓｅｒｖｅｄセルのＰＴＰトラフィック量、
・ＭＢＳＦＮのＯｕｔａｇｅ確率のターゲット値
を基に、
ＭＢＳＦＮエリアのトータルシステムスループットを最大化するように、
・ＭＢＳＦＮサブフレーム数と、
・ＭＢＳＦＮのＭＣＳ、および、
・ＭＢＳＦＮサブフレームのＲｅｓｅｒｖｅｄセルの送信電力又は送信電力の上限値
を設定する。【０１７４】
本実施例と前記第１の実施例との相違点は、本実施例では、
予めＰＴＰトラフィック量とシステムスループットの関係を式（１）により導出してテーブルを作成し、メモリに記憶しておくことである。【０１７５】
これにより、ＭＣＥにおける演算量を削減することができる。【０１７６】
図２０は、第２の実施例におけるＭＣＥの構成を示すブロック図である。なお、ｅＮＢの構成は第１の実施例と同一であるため、説明を省略する。ここで、ＭＣＥ３０１は、１つのＥ−ＭＢＭＳ  ＧＷ及び複数のｅＮＢと接続されているものとする。ＭＣＥ３０１は、平均トラフィック算出部３０２と、送信形態制御部３０３を備えている。【０１７７】
ＭＣＥ３０１の平均トラフィック算出部３０２は、各ｅＮＢから通知されたＰＴＰトラフィック量の報告値を平均し、トラフィック情報として出力する。【０１７８】
送信形態制御部３０３は、トラフィック情報と、ＰＴＰトラフィック量を予め規定したレベルの１つへとマッピングするためのテーブル（不図示）を用いて、ＰＴＰトラフィック量を量子化する。【０１７９】
そして、送信形態制御部３０３は、
ＭＢＭＳ制御情報と、
量子化したトラフィック量と、
ＭＢＳＦＮのＯｕｔａｇｅ確率（％）毎に用意するＰＴＰトラフィック量、
ＭＢＳＦＮのＭＣＳとサブフレーム数、および、
Ｒｅｓｅｒｖｅｄセルの送信電力又は送信電力の上限値の関係を示すテーブル（不図示）を基に、
ＭＢＳＦＮエリアの送信パラメータを決定し、ＭＢＭＳ構成情報をＥ−ＭＢＭＳ  ＧＷへ、ＭＢＳＦＮ制御情報をｅＮＢへそれぞれ送信する。【０１８０】
図２１は、図２０のＭＣＥ３０１における処理を示すフローチャートである。【０１８１】
ＭＣＥは、ＭＢＳＦＮエリアの送信パラメータのデフォルト設定を基地局へ通知した後、基地局からＰＴＰトラフィック量等を含むＭＢＳＦＮ関連情報を報告されるのを待つ。【０１８２】
平均トラフィック算出部３０２では、ＭＢＳＦＮ関連情報が報告されずに、制御タイミング、つまりＭＢＳＦＮエリアの送信パラメータの更新時刻になった場合には（Ｓ３０４のＹｅｓ）、送信形態制御部３０３は、デフォルト設定（あるいは直前の設定）を基地局へ通知する（Ｓ３０５）。【０１８３】
平均トラフィック算出部３０２において、基地局からＭＢＳＦＮ関連情報が報告された場合（Ｓ３０１のＹｅｓ）、含まれるＰＴＰトラフィック量の情報と以前に報告されたＰＴＰトラフィッ量を基に、単純移動平均あるいは加重移動平均を行い、時間平均値を算出する（Ｓ３０２）。【０１８４】
そして、平均トラフィック算出部３０２は、ＰＴＰトラフィック量の時間平均値と、予め用意するＰＴＰトラフィック量を量子化するためのマッピングテーブルを基に、ＰＴＰトラフィック量を規定したレベルの１つへとマッピングする（量子化）（Ｓ３０３）。【０１８５】
最後に、制御タイミングかどうかを判定し（Ｓ３０４）、制御タイミングならば（Ｓ３０４のＹｅｓ）、送信形態制御部３０３において、ＰＴＰトラフィック量のインデックスと、予めＭＢＳＦＮのＯｕｔａｇｅ確率（％）毎に用意するＰＴＰトラフィック量、ＭＢＳＦＮのＭＣＳとサブフレーム数、及びＲｅｓｅｒｖｅｄセルの送信電力又は送信電力の上限値の関係を示すテーブルを基に、ＭＢＳＦＮエリアの送信パラメータ決定し、結果を基地局へ通知する。【０１８６】
以下に、第２の実施例におけるＭＢＳＦＮ及びＵｎｉｃａｓｔの送信パラメータを決定する手順を説明する。【０１８７】
ここで、
ｅＮＢＡ１〜Ａ３及びｅＮＢＢ１、Ｂ２が同じＭＢＳＦＮエリアに属しＭＣＥと情報を交換しており、
ｅＮＢＡ１〜Ａ３がＵｎｉｃａｓｔとＭＢＳＦＮの両方を送信し、
ｅＮＢＢ１、Ｂ２がＵｎｉｃａｓｔのみを送信する、
ものとする。【０１８８】
ＭＣＥは、予め、図２２に示すようなＰＴＰトラフィック量を数段階のレベル（図２２ではＬｏｗ（低）、Ｍｅｄｉｕｍ（中間）、Ｈｉｇｈ（高））の３段階）にマッピングするテーブルを用意する。平均ＰＴＰトラフィック（Ａｖｅｒａｇｅ  ＰＴＰ  ｔｒａｆｆｉｃ）が０より大でＰ１以下の場合、ＰＴＰトラフィックインデックス（ＰＴＰ  ｔｒａｆｆｉｃ  ｉｎｄｅｘ）はＬｏｗを示す値０、平均ＰＴＰトラフィックがＰ１より大でＰ２以下の場合は、ＰＴＰトラフィックインデックスはＭｅｄｉｕｍを示す値１、平均ＰＴＰトラフィックがＰ２より大の場合、ＰＴＰトラフィックインデックスはＨｉｇｈを示す値２とされる。【０１８９】
さらに、図２３に示すような、
ＰＴＰトラフィックインデックス（ＰＴＰ  ｔｒａｆｆｉｃ  ｉｎｄｅｘ）として、ＲｅｓｅｒｖｅｄセルとＭＢＳＦＮサービスセルのＰＴＰトラフィックインデックス、
Ｒｅｓｅｒｖｅｄセルの送信電力又は送信電力の上限値、
ＭＢＳＦＮ  ＭＣＳと、
ＭＢＳＦＮサブフレーム数
の関係を示したテーブルも用意する。【０１９０】
なお、図２３のテーブルは、ＭＢＳＦＮのＯｕｔａｇｅ確率のターゲット（例えば１０％）を決めた上で、システムスループットが最大となるように式（１）を用いて導出した値である。【０１９１】
Ｏｕｔａｇｅのターゲットを可変とする場合には、ターゲットの候補となる値それぞれに対してテーブルを用意する。【０１９２】
ＭＢＳＦＮエリア内のｅＮＢは、それぞれ周期ＴＲｅｐｏｒｔ（＝Ｔ）でセル毎のＰＴＰトラフィック量を測定してＭＣＥへ通知する。【０１９３】
ＭＣＥの平均トラフィック算出部３０２において、ＭＢＳＦＮサービスセルのｅＮＢからのＰＴＰトラッフィック量報告値、ＲｅｓｅｒｖｅｄセルのｅＮＢからのＰＴＰトラフィック量報告値それぞれを時間平均し、図２２のテーブルを用いて、平均したＰＴＰトラフィック量を、予め定義したレベルの１つにマッピングする。【０１９４】
そして、ＭＣＥの送信形態制御部３０３は、マッピングしたＰＴＰトラフィック量のインデックスを基に、図２３のテーブルを用いて、
周期Ｔｃｔｒｌ（例えば、Ｔｃｔｒｌ＝５＊ＴＲｅｐｏｒｔ＝５Ｔ）で、
ＭＢＳＦＮ  ＭＣＳ、及び、
ＭＢＳＦＮサブフレーム数、
ＲｅｓｅｒｖｅｄセルのＭＢＳＦＮサブフレームにおける送信電力又は送信電力の上限値
を決定する。【０１９５】
例えば、
ＲｅｓｅｒｖｅｄセルのＰＴＰトラフィックインデックスがＭｅｄｉｕｍ、
ＭＢＳＦＮサービスセルのＰＴＰトラフィックインデックスがＬｏｗの場合、
ＭＢＳＦＮ  ＭＣＳが２、
ＭＢＳＦＮサブフレーム数が７、
ＲｅｓｅｒｖｅｄセルのＭＢＳＦＮサブフレームにおける送信電力又は送信電力の上限値が８０％
と決定される。【０１９６】
ＭＣＥは、これら決定した送信パラメータを各ｅＮＢへ通知し、ｅＮＢはこれに従いＭＢＳＦＮ及びＵｎｉｃａｓｔを送信する。【０１９７】
なお、本実施例では、ｅＮＢがＰＴＰトラフィック量をＭＣＥへ通知する周期ＴｒｅｐｏｒｔとＭＣＥがｅＮＢへ送信パラメータを通知する周期Ｔｃｔｒｌをそれぞれ個別に設定したが、同じ周期としてもよい。【０１９８】
また、どちらか一方、又は両方を、予め定義した条件になった場合に通知するトリガベースの方法で行ってもよい。【０１９９】
上記実施例では、ＲｅｓｅｒｖｅｄセルのＭＢＳＦＮサブフレームにおける送信電力を制限することで、ＭＢＳＦＮへの干渉を低減した。【０２００】
しかし、ＬＴＥの無線アクセス方式のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）のように、周波数領域で使用する帯域を選択できる場合には、送信電力を制限する代わりに、あるいは、送信電力の制限に加えて、ＲｅｓｅｒｖｅｄセルでＭＢＳＦＮサブフレームで利用可能な周波数を制限し、干渉を低減する方法もある。【０２０１】
また、ＭＢＳＦＮの品質の要求条件として、ＭＢＳＦＮの伝送レートを一定に保ちつつ、Ｏｕｔａｇｅのターゲット値を満たす方法を用いたが、ＭＢＳＦＮの伝送レートを無視してＯｕｔａｇｅのターゲット値のみを満たす方法もある。【０２０２】
この場合、ＰＴＰのシステムスループットを優先的に考え、ＭＢＳＦＮの伝送レートを低下させるように制御することが可能である。【０２０３】
さらに、ＭＢＳＦＮの伝送レートのみを一定に保つことを要求条件とし、ＲｅｓｅｒｖｅｄセルにおけるＰＴＰトラフィック量が増加した場合には、ＭＢＳＦＮのＭＣＳを高くし、かつ、ＭＢＳＦＮサブフレーム数を少なくすることでＭＢＳＦＮのカバレッジを縮小するような制御を行う方法もある。【０２０４】
なお、上記実施例では、ＰＴＰトラフィック量を用いたが、その代わりに、ＰＴＰの端末数、つまり、各セルのアクティブな端末の数を用いてもよい。【０２０５】
さらに、ＰＴＰトラフィック量やアクティブな端末数に加えて、
ＶｏＩＰ端末数や
ＭＢＳＦＮ受信端末数や受信端末数を推定した値、
ＭＢＳＦＮ受信希望端末数や受信希望端末数を推定した値、
実行中のＭＢＳＦＮの品質（誤り率）や品質等を推定した値を、あるいは、
ＰＴＰトラフィック量やアクティブな端末数の代わりに、
アクティブな端末数とＭＢＳＦＮ受信端末数の比
等を用いてもよい。【０２０６】
すべてのＭＢＳＦＮ受信端末（または受信希望端末）が、受信（または受信を希望）していること、または受信時の品質等をレポートすることで基地局は、これらの数値を得ることができる。なお、必ずしもすべての受信端末からのレポートが必要ではなく、基地局または上位装置により指定された一定確率のもとでレポートをしてもらうという形態でもよく、基地局は、受信したレポート数（リクエスト数）と該確率から、実際の端末数を推定する。この推定方法は直近のレポートによるものに限定されず、過去のレポートを使って推定してもよい。また、レポートの形態は受信（または受信を希望）していること、品質が分かるものであればその形態は問わない。【０２０７】
また、上述の実施例では、ＲｅｓｅｒｖｅｄセルがＭＢＳＦＮサービスセルの周辺に隣接して配置されていたが、必ずしも周辺である必要はなく、複数のＭＢＳＦＮサービスセルに囲まれるように配置されていてもよい。【０２０８】
なお、ＭＢＳＦＮによるサービス品質の目標値として、ＭＢＳＦＮアウテージ（Ｏｕｔａｇｅ）、ＭＢＳＦＮカバレッジ、ＭＢＳＦＮサービスレート（伝送レート）のほかにも、受信ＳＩＲ（Ｓｉｇｎａｌ−ｔｏ−Ｉｎｔｅｒｆｅｒｅｎｃｅ）、受信ＳＩＮＲ（Ｓｉｇｎａｌ−ｔｏ−Ｉｎｔｅｒｆｅｒｅｎｃｅ  ａｎｄ  Ｎｏｉｓｅ  ｐｏｗｅｒ  Ｒａｔｉｏ）を用いてもよい。【０２０９】
また、上記実施例では、ＭＣＥがＭＢＳＦＮエリア内のｅＮＢから、マルチキャスト関連情報、ユニキャスト関連情報を通信状況情報として受け、通信制御情報としてＭＢＳＦＮエリア内の送信パラメータを決定する例を説明したが、ＭＢＳＦＮエリア内のセルパラメータを決定するようにしてもよい。【０２１０】
さらに、上述の実施例では、３ＧＰＰ  ＬＴＥシステムを想定して説明したが、他のシステム、例えば３ＧＰＰ  ＷＣＤＭＡ（Ｗｉｄｅｂａｎｄ  Ｃｏｄｅ  Ｄｉｖｉｓｉｏｎ  Ｍｕｌｔｉｐｌｅｘｉｎｇ）、あるいはＷｉＭＡＸ（Ｗｏｒｌｄｗｉｄｅ  ｉｎｔｅｒｏｐｅｒａｂｉｌｉｔｙ  ｆｏｒ  Ｍｉｃｒｏｗａｖｅ  Ａｃｃｅｓｓ）等でも適用可能である。また、通信状況情報や通信制御情報に関しても、ＭＢＳＦＮ関連情報や送信パラメータに限定されたものではなく、他の送信方式やサービスに関する情報や送信以外に用いる無線リソースの情報であってもよいことは明らかである。【０２１１】
なお、上記非特許文献の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【図１】
2010001928.tif 000004
【図２】
2010001928.tif 000005
【図３】
2010001928.tif 000006
【図４】
2010001928.tif 000007
【図５】
2010001928.tif 000008
【図６】
2010001928.tif 000009
【図７】
2010001928.tif 000010
【図８】
2010001928.tif 000011
【図９】
2010001928.tif 000012
【図１０】
2010001928.tif 000013
【図１１】
2010001928.tif 000014
【図１２】
2010001928.tif 000015
【図１３】
2010001928.tif 000016
【図１４】
2010001928.tif 000017
【図１５】
2010001928.tif 000018
【図１６】
2010001928.tif 000019
【図１７】
2010001928.tif 000020
【図１８】
2010001928.tif 000021
【図１９】
2010001928.tif 000022
【図２０】
2010001928.tif 000023
【図２１】
2010001928.tif 000024
【図２２】
2010001928.tif 000025
【図２３】
2010001928.tif 000026
【図２４】
2010001928.tif 000027
【図２５】
2010001928.tif 000028
【国際調査報告】
2010001928.tif 000029
2010001928.tif 000030
2010001928.tif 000031